(57)【要約】  同じアップリンクスロットの中でアップリンク制御情報とアップリンクユーザデータとを多重化するための方法および装置が開示される。スケジューリングエンティティは、アップリンク制御情報(UCI)タイプに関係なく、各直交周波数分割多重化(OFDM)シンボル上に所定のステップサイズによる分散方式でUCIをマッピングするために、統合規則を使用し得る。スケジューリングエンティティは、周波数ホッピングが有効化されているときにUCIを2つの部分に区分するために統合規則を使用し得、各ホップの中でUCIをマッピングするために同じ統合規則を使用し得る。
2021505011.tif 000002
【特許請求の範囲】
【請求項１】
ワイヤレス通信の方法であって、
複数の被変調アップリンク制御情報(UCI)シンボルを生成するために、複数の制御情報タイプを備えるUCIを変調するステップと、
各制御情報タイプの前記被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、前記複数の被変調UCIシンボルを前記PUSCHの前記複数のREにマッピングするステップと、
前記UCIを含む前記PUSCHの中でデータを送信するステップと
を備える方法。
【請求項２】
前記UCIが、ハイブリッド自動再送要求肯定応答(HARQ-ACK)、制御状態情報(CSI)の第1の部分、およびCSIの第2の部分を備え、
マッピングする前記ステップが、
前記HARQ-ACKを前記REの第1のセットにマッピングするステップと、
CSIの前記第1の部分を前記REの第2のセットにマッピングするステップと、
CSIの前記第2の部分を前記REの第3のセットにマッピングするステップとを備える、
請求項1に記載の方法。
【請求項３】
前記REの前記第1のセット、前記REの前記第2のセット、および前記REの前記第3のセットのうちの2つ以上が、前記OFDMシンボルの各々の中で周波数領域において多重化される、請求項2に記載の方法。
【請求項４】
マッピングする前記ステップが、
前記HARQ-ACKの前記RE、CSIの前記第1の部分の前記RE、およびCSIの前記第2の部分の前記REのうちの2つ以上を、OFDMシンボルの中でインターリーブするステップを備える、
請求項3に記載の方法。
【請求項５】
マッピングする前記ステップが、
時間領域においてCSIの前記第1の部分およびCSIの前記第2の部分よりも前の、前記PUSCHの1つまたは複数のOFDMシンボルに、前記HARQ-ACKをマッピングするステップ、または
時間領域において前記HARQ-ACKよりも前の、前記PUSCHの1つまたは複数のOFDMシンボルに、CSIの前記第1の部分をマッピングするステップを備える、
請求項2に記載の方法。
【請求項６】
マッピングする前記ステップが、
前記HARQ-ACK、CSIの前記第1の部分、およびCSIの前記第2の部分を、時間領域において所定の順序で前記PUSCHの前記OFDMシンボルにマッピングするステップと、
OFDMシンボルごとに、前記OFDMシンボルにマッピングされた前記HARQ-ACK、CSIの前記第1の部分、およびCSIの前記第2の部分のうちの1つまたは複数の被変調シンボルを周波数領域において一様に分散させるステップとを備える、
請求項2に記載の方法。
【請求項７】
マッピングする前記ステップが、
前記被変調UCIシンボルを第1の区分および第2の区分に分割するステップと、
前記第1の区分を第1の周波数帯域のREに、前記第2の区分を第2の周波数帯域のREにマッピングするステップとを備え、
送信する前記ステップが、前記被変調UCIシンボルを含む前記データを、前記第1の周波数帯域および前記第2の周波数帯域にわたる周波数ホッピングを使用して前記PUSCHの中で送信するステップを備える、
請求項1に記載の方法。
【請求項８】
前記PUSCHが、第1の復調基準信号(DMRS)および第2のDMRSをさらに備え、
マッピングする前記ステップが、
各制御情報タイプの前記被変調UCIシンボルを複数のグループに分割するステップと、
前記第1のDMRSまたは前記第2のDMRSに隣接するOFDMシンボルにおいて開始する1つまたは複数のOFDMシンボルに、前記被変調UCIシンボルの各グループをマッピングするステップとをさらに備える、
請求項1に記載の方法。
【請求項９】
前記第1のDMRSが、前記PUSCHの中にフロントロードされ、前記第1のDMRSおよび前記第2のDMRSが、1つまたは複数のOFDMシンボルだけ分離され、
マッピングする前記ステップが、
前記第1のDMRSに隣接するOFDMシンボルに、前記UCIシンボルの第1のグループをマッピングするステップと、
前記第2のDMRSに隣接するとともに時間において前記第2のDMRSよりも前のOFDMシンボルに、前記UCIシンボルの第2のグループをマッピングするステップと、
前記第2のDMRSに隣接するとともに時間において前記第2のDMRSよりも後のOFDMシンボルに、前記UCIシンボルの第3のグループをマッピングするステップとをさらに備える、
請求項8に記載の方法。
【請求項１０】
装置であって、
ワイヤレス通信のために構成された通信インターフェースと、
通信回路とを備え、前記通信回路が、
複数の被変調アップリンク制御情報(UCI)シンボルを生成するために、複数の制御情報タイプを備えるUCIを変調し、
各制御情報タイプの前記被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、前記複数の被変調UCIシンボルを前記PUSCHの前記複数のREにマッピングし、
前記通信インターフェースを使用して、前記UCIを含む前記PUSCHの中でデータを送信するように構成される、
装置。
【請求項１１】
前記UCIが、ハイブリッド自動再送要求肯定応答(HARQ-ACK)、制御状態情報(CSI)の第1の部分、およびCSIの第2の部分を備え、
前記通信回路が、
前記HARQ-ACKを前記REの第1のセットにマッピングし、
CSIの前記第1の部分を前記REの第2のセットにマッピングし、
CSIの前記第2の部分を前記REの第3のセットにマッピングするようにさらに構成される、
請求項10に記載の装置。
【請求項１２】
前記REの前記第1のセット、前記REの前記第2のセット、および前記REの前記第3のセットのうちの2つ以上が、前記OFDMシンボルの各々の中で周波数領域において多重化される、請求項11に記載の装置。
【請求項１３】
前記通信回路が、
前記HARQ-ACKの前記RE、CSIの前記第1の部分の前記RE、およびCSIの前記第2の部分の前記REのうちの2つ以上を、OFDMシンボルの中でインターリーブするようにさらに構成される、
請求項12に記載の装置。
【請求項１４】
前記通信回路が、
時間領域においてCSIの前記第1の部分およびCSIの前記第2の部分よりも前の、前記PUSCHの1つまたは複数のOFDMシンボルに、前記HARQ-ACKをマッピングするか、または
時間領域において前記HARQ-ACKよりも前の、前記PUSCHの1つまたは複数のOFDMシンボルに、CSIの前記第1の部分をマッピングするようにさらに構成される、
請求項11に記載の装置。
【請求項１５】
前記通信回路が、
前記HARQ-ACK、CSIの前記第1の部分、およびCSIの前記第2の部分を、時間領域において所定の順序で前記PUSCHの前記OFDMシンボルにマッピングし、
OFDMシンボルごとに、前記OFDMシンボルにマッピングされた前記HARQ-ACK、CSIの前記第1の部分、およびCSIの前記第2の部分のうちの1つまたは複数の被変調シンボルを周波数領域において一様に分散させるようにさらに構成される、
請求項11に記載の装置。
【請求項１６】
前記通信回路が、
前記被変調UCIシンボルを第1の区分および第2の区分に分割し、
前記第1の区分を第1の周波数帯域のREに、前記第2の区分を第2の周波数帯域のREにマッピングし、
前記被変調UCIシンボルを含む前記データを、前記第1の周波数帯域および前記第2の周波数帯域にわたる周波数ホッピングを使用して前記PUSCHの中で送信するようにさらに構成される、
請求項10に記載の装置。
【請求項１７】
前記PUSCHが、第1の復調基準信号(DMRS)および第2のDMRSをさらに備え、
前記通信回路が、
各制御情報タイプの前記被変調UCIシンボルを複数のグループに分割し、
前記第1のDMRSまたは前記第2のDMRSに隣接するOFDMシンボルにおいて開始する1つまたは複数のOFDMシンボルに、前記被変調UCIシンボルの各グループをマッピングするようにさらに構成される、
請求項10に記載の装置。
【請求項１８】
前記第1のDMRSが、前記PUSCHの中にフロントロードされ、前記第1のDMRSおよび前記第2のDMRSが、1つまたは複数のOFDMシンボルだけ分離され、
前記通信回路が、
前記第1のDMRSに隣接するOFDMシンボルに、前記UCIシンボルの第1のグループをマッピングし、
前記第2のDMRSに隣接するとともに時間において前記第2のDMRSよりも前のOFDMシンボルに、前記UCIシンボルの第2のグループをマッピングし、
前記第2のDMRSに隣接するとともに時間において前記第2のDMRSよりも後のOFDMシンボルに、前記UCIシンボルの第3のグループをマッピングするようにさらに構成される、
請求項17に記載の装置。
【請求項１９】
ワイヤレス通信装置であって、
複数の被変調アップリンク制御情報(UCI)シンボルを生成するために、複数の制御情報タイプを備えるUCIを変調するための手段と、
各制御情報タイプの前記被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、前記複数の被変調UCIシンボルを前記PUSCHの前記複数のREにマッピングするための手段と、
前記UCIを含む前記PUSCHの中でデータを送信するための手段と
を備えるワイヤレス通信装置。
【請求項２０】
前記UCIが、ハイブリッド自動再送要求肯定応答(HARQ-ACK)、制御状態情報(CSI)の第1の部分、およびCSIの第2の部分を備え、
マッピングするための前記手段が、
前記HARQ-ACKを前記REの第1のセットにマッピングし、
CSIの前記第1の部分を前記REの第2のセットにマッピングし、
CSIの前記第2の部分を前記REの第3のセットにマッピングするように構成される、
請求項19に記載のワイヤレス通信装置。
【請求項２１】
前記REの前記第1のセット、前記REの前記第2のセット、および前記REの前記第3のセットのうちの2つ以上が、前記OFDMシンボルの各々の中で周波数領域において多重化される、請求項20に記載のワイヤレス通信装置。
【請求項２２】
マッピングするための前記手段が、
前記HARQ-ACKの前記RE、CSIの前記第1の部分の前記RE、およびCSIの前記第2の部分の前記REのうちの2つ以上を、OFDMシンボルの中でインターリーブするように構成される、
請求項21に記載のワイヤレス通信装置。
【請求項２３】
マッピングするための前記手段が、
時間領域においてCSIの前記第1の部分およびCSIの前記第2の部分よりも前の、前記PUSCHの1つまたは複数のOFDMシンボルに、前記HARQ-ACKをマッピングするか、または
時間領域において前記HARQ-ACKよりも前の、前記PUSCHの1つまたは複数のOFDMシンボルに、CSIの前記第1の部分をマッピングするように構成される、
請求項20に記載のワイヤレス通信装置。
【請求項２４】
マッピングするための前記手段が、
前記HARQ-ACK、CSIの前記第1の部分、およびCSIの前記第2の部分を、時間領域において所定の順序で前記PUSCHの前記OFDMシンボルにマッピングし、
OFDMシンボルごとに、前記OFDMシンボルにマッピングされた前記HARQ-ACK、CSIの前記第1の部分、およびCSIの前記第2の部分のうちの1つまたは複数の被変調シンボルを周波数領域において一様に分散させるように構成される、
請求項20に記載のワイヤレス通信装置。
【請求項２５】
マッピングするための前記手段が、
前記被変調UCIシンボルを第1の区分および第2の区分に分割し、
前記第1の区分を第1の周波数帯域のREに、前記第2の区分を第2の周波数帯域のREにマッピングするように構成され、
送信するための前記手段が、前記被変調UCIシンボルを含む前記データを、前記第1の周波数帯域および前記第2の周波数帯域にわたる周波数ホッピングを使用して前記PUSCHの中で送信するように構成される、
請求項19に記載のワイヤレス通信装置。
【請求項２６】
前記PUSCHが、第1の復調基準信号(DMRS)および第2のDMRSをさらに備え、
前記マッピングすることが、
各制御情報タイプの前記被変調UCIシンボルを複数のグループに分割することと、
前記第1のDMRSまたは前記第2のDMRSに隣接するOFDMシンボルにおいて開始する1つまたは複数のOFDMシンボルに、前記被変調UCIシンボルの各グループをマッピングすることとをさらに備える、
請求項19に記載のワイヤレス通信装置。
【請求項２７】
前記第1のDMRSが、前記PUSCHの中にフロントロードされ、前記第1のDMRSおよび前記第2のDMRSが、1つまたは複数のOFDMシンボルだけ分離され、
前記マッピングすることが、
前記第1のDMRSに隣接するOFDMシンボルに、前記UCIシンボルの第1のグループをマッピングすることと、
前記第2のDMRSに隣接するとともに時間において前記第2のDMRSよりも前のOFDMシンボルに、前記UCIシンボルの第2のグループをマッピングすることと、
前記第2のDMRSに隣接するとともに時間において前記第2のDMRSよりも後のOFDMシンボルに、前記UCIシンボルの第3のグループをマッピングすることとをさらに備える、
請求項26に記載のワイヤレス通信装置。
【請求項２８】
実行可能コードを備えるコンピュータ可読記憶媒体であって、前記実行可能コードが、コンピュータに、
複数の被変調アップリンク制御情報(UCI)シンボルを生成するために、複数の制御情報タイプを備えるUCIを変調させ、
各制御情報タイプの前記被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、前記複数の被変調UCIシンボルを前記PUSCHの前記複数のREにマッピングさせ、
通信インターフェースを使用して、前記UCIを含む前記PUSCHの中でデータを送信させる、
コンピュータ可読記憶媒体。
【請求項２９】
前記UCIが、ハイブリッド自動再送要求肯定応答(HARQ-ACK)、制御状態情報(CSI)の第1の部分、およびCSIの第2の部分を備え、
前記コンピュータ可読記憶媒体が、前記コンピュータに、
前記HARQ-ACKを前記REの第1のセットにマッピングさせ、
CSIの前記第1の部分を前記REの第2のセットにマッピングさせ、
CSIの前記第2の部分を前記REの第3のセットにマッピングさせる、実行可能コードをさらに備える、
請求項28に記載のコンピュータ可読記憶媒体。
【請求項３０】
前記REの前記第1のセット、前記REの前記第2のセット、および前記REの前記第3のセットのうちの2つ以上が、前記OFDMシンボルの各々の中で周波数領域において多重化される、請求項29に記載のコンピュータ可読記憶媒体。
【請求項３１】
前記コンピュータに、
前記HARQ-ACKの前記RE、CSIの前記第1の部分の前記RE、およびCSIの前記第2の部分の前記REのうちの2つ以上を、OFDMシンボルの中でインターリーブさせる、実行可能コードをさらに備える、
請求項30に記載のコンピュータ可読記憶媒体。
【請求項３２】
前記コンピュータに、
時間領域においてCSIの前記第1の部分およびCSIの前記第2の部分よりも前の、前記PUSCHの1つまたは複数のOFDMシンボルに、前記HARQ-ACKをマッピングさせるか、または
時間領域において前記HARQ-ACKよりも前の、前記PUSCHの1つまたは複数のOFDMシンボルに、CSIの前記第1の部分をマッピングさせる、実行可能コードをさらに備える、
請求項29に記載のコンピュータ可読記憶媒体。
【請求項３３】
前記コンピュータに、
前記HARQ-ACK、CSIの前記第1の部分、およびCSIの前記第2の部分を、時間領域において所定の順序で前記PUSCHの前記OFDMシンボルにマッピングさせ、
OFDMシンボルごとに、前記OFDMシンボルにマッピングされた前記HARQ-ACK、CSIの前記第1の部分、およびCSIの前記第2の部分のうちの1つまたは複数の被変調シンボルを周波数領域において一様に分散させる、実行可能コードをさらに備える、
請求項29に記載のコンピュータ可読記憶媒体。
【請求項３４】
前記コンピュータに、
前記被変調UCIシンボルを第1の区分および第2の区分に分割させ、
前記第1の区分を第1の周波数帯域のREに、前記第2の区分を第2の周波数帯域のREにマッピングさせ、
前記被変調UCIシンボルを含む前記データを、前記第1の周波数帯域および前記第2の周波数帯域にわたる周波数ホッピングを使用して前記PUSCHの中で送信させる、実行可能コードをさらに備える、
請求項28に記載のコンピュータ可読記憶媒体。
【請求項３５】
前記PUSCHが、第1の復調基準信号(DMRS)および第2のDMRSをさらに備え、
前記コンピュータ可読記憶媒体が、前記コンピュータに、
各制御情報タイプの前記被変調UCIシンボルを複数のグループに分割させ、
前記第1のDMRSまたは前記第2のDMRSに隣接するOFDMシンボルにおいて開始する1つまたは複数のOFDMシンボルに、前記被変調UCIシンボルの各グループをマッピングさせる、実行可能コードをさらに備える、
請求項28に記載のコンピュータ可読記憶媒体。
【請求項３６】
前記第1のDMRSが、前記PUSCHの中にフロントロードされ、前記第1のDMRSおよび前記第2のDMRSが、1つまたは複数のOFDMシンボルだけ分離され、
前記コンピュータ可読記憶媒体が、前記コンピュータに、
前記第1のDMRSに隣接するOFDMシンボルに、前記UCIシンボルの第1のグループをマッピングさせ、
前記第2のDMRSに隣接するとともに時間において前記第2のDMRSよりも前のOFDMシンボルに、前記UCIシンボルの第2のグループをマッピングさせ、
前記第2のDMRSに隣接するとともに時間において前記第2のDMRSよりも後のOFDMシンボルに、前記UCIシンボルの第3のグループをマッピングさせる、実行可能コードをさらに備える、
請求項35に記載のコンピュータ可読記憶媒体。
【発明の詳細な説明】
【技術分野】
【０００１】
関連出願の相互参照
本出願は、2018年11月15日に米国特許商標庁において出願された非仮特許出願第16/192,108号、および2017年11月26日に米国特許商標庁において出願された仮特許出願第62/590,599号の優先権および利益を主張し、その全内容は、それらの全体が以下に完全に記載されるかのように、またすべての適用可能な目的のために、参照により本明細書に組み込まれる。
【０００２】
以下で説明する技術は、一般に、ワイヤレス通信システムに関し、より詳細には、アップリンク制御情報とアップリンクデータのチャネル送信の多重化に関する。
【背景技術】
【０００３】
ワイヤレス通信では、ユーザ機器(UE)は、様々な「チャネル」を使用して、無線インターフェースを介してワイヤレスネットワークと通信し得る。UEは、物理アップリンク制御チャネル(PUCCH:physical uplink control channel)などの1つまたは複数の専用UL制御チャネルを使用して、アップリンク(UL)制御情報を送信し得る。UEはまた、物理アップリンク共有チャネル(PUSCH:physical uplink shared channel)などの1つまたは複数のUL共有データチャネルを使用して、ULユーザデータを送信し得る。いくつかのワイヤレスネットワークでは、5Gニューラジオ(NR)のように、UEは、同じスロットの中で同時のPUCCH送信とPUSCH送信とを多重化することができる。
【発明の概要】
【課題を解決するための手段】
【０００４】
以下は、本開示の1つまたは複数の態様の基本的理解を与えるために、そのような態様の簡略化された概要を提示する。本概要は、本開示のすべての企図される特徴の広範な概要でなく、本開示のすべての態様の主要または重要な要素を識別するものでも、本開示のいずれかまたはすべての態様の範囲を定めるものでもない。その唯一の目的は、後で提示するより詳細な説明の導入として、本開示の1つまたは複数の態様のいくつかの概念を簡略化された形で提示することである。
【０００５】
本開示の一態様は、ワイヤレス通信の方法を提供する。ワイヤレス通信装置は、複数の被変調アップリンク制御情報(UCI:uplink control information)シンボルを生成するために、複数の制御情報タイプを含むUCIを変調する。装置は、各制御情報タイプの被変調UCIシンボルが物理アップリンク共有チャネル(PUSCH)の1つまたは複数の対応する直交周波数分割多重化(OFDM)シンボルのリソース要素(RE:resource element)の間で所定のステップサイズに従って分散されるように、複数の被変調UCIシンボルをPUSCHの複数のREにマッピングする。装置は、UCIを含むPUSCHの中でデータを送信する。
【０００６】
本開示の別の態様は、ワイヤレス通信のために構成された通信インターフェースと通信回路とを含む装置を提供する。通信回路は、複数の被変調アップリンク制御情報(UCI)シンボルを生成するために、複数の制御情報タイプを含むUCIを変調するように構成される。通信回路は、各制御情報タイプの被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、複数の被変調UCIシンボルをPUSCHの複数のREにマッピングするようにさらに構成される。通信回路は、通信インターフェースを使用して、UCIを含むPUSCHの中でデータを送信するようにさらに構成される。
【０００７】
本開示の別の態様は、ワイヤレス通信のための装置を提供する。装置は、複数の被変調アップリンク制御情報(UCI)シンボルを生成するために、複数の制御情報タイプを備えるUCIを変調するための手段を含む。装置は、各制御情報タイプの被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、複数の被変調UCIシンボルをPUSCHの複数のREにマッピングするための手段をさらに含む。装置は、UCIを含むPUSCHの中でデータを送信するための手段をさらに含む。
【０００８】
本開示の別の態様は、実行可能コードを記憶するコンピュータ可読記憶媒体を提供する。実行可能コードは、コンピュータに、複数の被変調アップリンク制御情報(UCI)シンボルを生成するために、複数の制御情報タイプを備えるUCIを変調させる。実行可能コードはさらに、コンピュータに、各制御情報タイプの被変調UCIシンボルが物理アップリンク共有チャネル(PUSCH)の1つまたは複数の対応する直交周波数分割多重化(OFDM)シンボルのリソース要素(RE)の間で所定のステップサイズに従って分散されるように、複数の被変調UCIシンボルをPUSCHの複数のREにマッピングさせる。実行可能コードはさらに、コンピュータに、通信インターフェースを使用して、UCIを含むPUSCHの中でデータを送信させる。
【０００９】
本発明のこれらおよび他の態様は、以下の発明を実施するための形態を検討すれば、より十分に理解されよう。本発明の特定の例示的な実施形態の以下の説明を、添付図面とともに検討すれば、本発明の他の態様、特徴、および実施形態が当業者に明らかとなろう。本発明の特徴が、以下のいくつかの実施形態および図に対して説明されることがあるが、本発明のすべての実施形態は、本明細書で説明する有利な特徴のうちの1つまたは複数を含むことができる。言い換えれば、1つまたは複数の実施形態がいくつかの有利な特徴を有するものとして説明されることがあるが、そのような特徴のうちの1つまたは複数はまた、本明細書で説明する本発明の様々な実施形態に従って使用され得る。同様に、例示的な実施形態が、デバイス実施形態、システム実施形態、または方法実施形態として以下で説明されることがあるが、そのような例示的な実施形態が様々なデバイス、システム、および方法で実施され得ることを理解されたい。
【図面の簡単な説明】
【００１０】
【図１】ワイヤレス通信システムの一例を示す概念図である。
【図２】無線アクセスネットワークの一例を示す概念図である。
【図３】多入力多出力(MIMO)通信をサポートするワイヤレス通信システムを示すブロック図である。
【図４】直交周波数分割多重化(OFDM)を利用するエアインターフェースにおけるワイヤレスリソースの編成を示す概略図である。
【図５】本開示のいくつかの態様による、スケジューリングエンティティのためのハードウェア実装形態の一例を概念的に示すブロック図である。
【図６】本開示のいくつかの態様による、スケジュールドエンティティのためのハードウェア実装形態の一例を概念的に示すブロック図である。
【図７】本開示のいくつかの態様による、物理アップリンク共有チャネル(PUSCH)上での異なるタイプのアップリンク制御情報(UCI)のための統合リソースマッピングを示す図である。
【図８】本開示のいくつかの態様による、PUSCH上での異なるタイプのUCIのための別の統合リソースマッピングを示す図である。
【図９】本開示のいくつかの態様による、周波数ホッピングを伴うPUSCH上での異なるタイプのUCIのための統合リソースマッピングを示す図である。
【図１０】本開示のいくつかの態様による、周波数ホッピングを伴うPUSCH上での異なるタイプのUCIのための別の統合リソースマッピングを示す図である。
【図１１】本開示のいくつかの態様による、追加の復調基準信号(DMRS:demodulation reference signal)シンボルを伴うPUSCH上での異なるタイプのUCIのための統合リソースマッピングを示す図である。
【図１２】本開示のいくつかの態様による、追加のDMRSシンボルを伴うPUSCH上での異なるタイプのUCIのための別の統合リソースマッピングを示す図である。
【図１３】本開示のいくつかの態様による、リソースマッピングプロシージャ1300を示すフローチャートである。
【図１４】本開示のいくつかの態様による、UCIタイプに関係なく統合マッピング規則を使用して、PUSCH上でピギーバックされたUCIを送信するための例示的なプロセスを示すフローチャートである。
【図１５】本開示のいくつかの態様による、周波数ホッピングを使用して、PUSCH上でピギーバックされたUCIを送信するための例示的なプロセスを示すフローチャートである。
【発明を実施するための形態】
【００１１】
添付の図面に関して以下に記載する発明を実施するための形態は、様々な構成の説明として意図され、本明細書で説明する概念が実践され得る唯一の構成を表すものではない。発明を実施するための形態は、様々な概念の完全な理解を与える目的で、具体的な詳細を含む。しかしながら、これらの概念がこれらの具体的な詳細なしに実践され得ることが当業者に明らかとなろう。いくつかの事例では、そのような概念を不明瞭にすることを回避するために、よく知られている構造および構成要素がブロック図の形態で示される。
【００１２】
本開示の態様は、同じアップリンクスロットの中でアップリンク制御情報とアップリンクユーザデータとを多重化するための方法および装置を提供する。本開示の一態様では、スケジューリングエンティティは、アップリンク制御情報(UCI)タイプに関係なく各OFDMシンボル上で、所定のステップサイズによる分散方式でUCIをマッピングするために、統合規則を使用し得る。本開示の別の態様では、スケジューリングエンティティは、周波数ホッピングが有効化されているときにUCIを2つの部分に区分するために、統合規則を使用し得、各ホップの中でUCIをマッピングするために同じ統合規則を使用し得る。
【００１３】
本開示全体にわたって提示する様々な概念は、広範な電気通信システム、ネットワークアーキテクチャ、および通信規格にわたって実施され得る。次に図1を参照すると、限定しない例示的な一例として、本開示の様々な態様がワイヤレス通信システム100に関して図示される。ワイヤレス通信システム100は、相互作用する3つの領域、すなわち、コアネットワーク102、無線アクセスネットワーク(RAN:Radio Access Network)104、およびユーザ機器(UE)106を含む。ワイヤレス通信システム100によって、UE106は、(限定はしないが)インターネットなどの外部データネットワーク110とのデータ通信を実行することが可能であり得る。
【００１４】
RAN104は、UE106への無線アクセスを提供するための1つまたは複数の任意の好適なワイヤレス通信技術を実施し得る。一例として、RAN104は、しばしば5Gと呼ばれる、第3世代パートナーシッププロジェクト(3GPP)ニューラジオ(NR)仕様に従って動作し得る。別の例として、RAN104は、5G NRと、しばしばLTEまたは4Gと呼ばれる発展型ユニバーサル地上波無線アクセスネットワーク(eUTRAN)規格との混合の下で動作し得る。3GPPは、この混合RANを次世代RANまたはNG-RANと呼ぶ。当然、多くの他の例が本開示の範囲内で利用されてよい。
【００１５】
図示したように、RAN104は複数の基地局108を含む。概して、基地局は、UEとの間で1つまたは複数のセルの中での無線送信および無線受信を担当する、無線アクセスネットワークの中のネットワーク要素である。異なる技術、規格、またはコンテキストでは、基地局は、トランシーバ基地局(BTS)、無線基地局、無線トランシーバ、トランシーバ機能、基本サービスセット(BSS)、拡張サービスセット(ESS)、アクセスポイント(AP)、ノードB(NB)、eノードB(eNB)、gノードB(gNB)、または何らかの他の好適な用語として、当業者によって様々に呼ばれることがある。
【００１６】
複数のモバイル装置のためのワイヤレス通信をサポートする無線アクセスネットワーク104がさらに示される。モバイル装置は、3GPP規格ではユーザ機器(UE)と呼ばれることがあるが、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末(AT)、モバイル端末、ワイヤレス端末、リモート端末、ハンドセット、端末、ユーザエージェント、モバイルクライアント、クライアント、または何らかの他の好適な用語として、当業者によって呼ばれることもある。UEは、ネットワークサービスへのアクセスをユーザに提供する装置であってよい。
【００１７】
本文書内では、「モバイル」装置は、必ずしも移動するための能力を有する必要があるとは限らず、固定であってよい。モバイル装置またはモバイルデバイスという用語は、多種多様なデバイスおよび技術を広く指す。たとえば、モバイル装置のいくつかの非限定的な例は、携帯電話、セルラー(セル)フォン、スマートフォン、セッション開始プロトコル(SIP)フォン、ラップトップ、パーソナルコンピュータ(PC)、ノートブック、ネットブック、スマートブック、タブレット、携帯情報端末(PDA)、および、たとえば「モノのインターネット」(IoT)に対応する広範な組込みシステムを含む。モバイル装置は、追加として、自動車または他の輸送車両、リモートセンサーまたはアクチュエータ、ロボットまたはロボティクスデバイス、衛星ラジオ、全地球測位システム(GPS)デバイス、物体追跡デバイス、ドローン、マルチコプター、クアッドコプター、遠隔制御デバイス、ならびに、アイウェア、ウェアラブルカメラ、仮想現実デバイス、スマートウォッチ、ヘルストラッカーまたはフィットネストラッカー、デジタルオーディオプレーヤ(たとえば、MP3プレーヤ)、カメラ、ゲーム機などの消費者デバイスおよび/またはウェアラブルデバイスなどであってよい。モバイル装置は、追加として、ホームオーディオ、ビデオ、および/またはマルチメディアデバイスなどのデジタルホームデバイスもしくはスマートホームデバイス、アプライアンス、自動販売機、インテリジェント照明、ホームセキュリティシステム、スマートメーターなどであってよい。モバイル装置は、追加として、スマートエネルギーデバイス、セキュリティデバイス、ソーラーパネルまたはソーラーアレイ、ならびに、電力(たとえば、スマートグリッド)、照明、水道などを制御する都市インフラストラクチャデバイス、産業オートメーションおよび企業デバイス、ロジスティックスコントローラ、農業機器、軍事防衛機器、車両、航空機、船舶、ならびに兵器類などであってよい。またさらに、モバイル装置は、接続型医療支援または遠隔医療支援、たとえば、遠方における健康管理を提供し得る。テレヘルスデバイスは、テレヘルス監視デバイスおよびテレヘルス運営デバイスを含んでよく、その通信は、たとえば、重大なサービスデータの輸送用の優先的なアクセス、および/または重大なサービスデータの輸送用の関連するQoSに関して、他のタイプの情報よりも優遇された取扱いまたは優先的なアクセスが与えられてよい。
【００１８】
RAN104とUE106との間のワイヤレス通信は、エアインターフェースを利用するものとして説明され得る。基地局(たとえば、基地局108)から1つまたは複数のUE(たとえば、UE106)へのエアインターフェースを介した送信は、ダウンリンク(DL)送信と呼ばれることがある。本開示のいくつかの態様によれば、ダウンリンクという用語は、スケジューリングエンティティ(以下でさらに説明する、たとえば、基地局108)において発するポイントツーマルチポイント送信を指すことがある。この方式を説明するための別の方法は、ブロードキャストチャネル多重化という用語を使用することであってよい。UE(たとえば、UE106)から基地局(たとえば、基地局108)への送信は、アップリンク(UL)送信と呼ばれることがある。本開示のさらなる態様によれば、アップリンクという用語は、スケジュールドエンティティ(以下でさらに説明する、たとえば、UE106)において発するポイントツーポイント送信を指すことがある。
【００１９】
いくつかの例では、エアインターフェースへのアクセスがスケジュールされてよく、スケジューリングエンティティ(たとえば、基地局108)は、そのサービスエリアまたはセル内で、一部または全部のデバイスおよび機器の間の通信のためのリソースを割り振る。本開示内では、以下でさらに説明するように、スケジューリングエンティティは、1つまたは複数のスケジュールドエンティティのためのリソースをスケジュールすること、割り当てること、再構成すること、および解放することを担当してよい。すなわち、スケジュールされた通信に対して、スケジュールドエンティティであってよいUE106は、スケジューリングエンティティ108によって割り振られたリソースを利用し得る。
【００２０】
基地局108は、スケジューリングエンティティとして機能し得る唯一のエンティティではない。すなわち、いくつかの例では、UEは、1つまたは複数のスケジュールドエンティティ(たとえば、1つまたは複数の他のUE)のためのリソースをスケジュールする、スケジューリングエンティティとして機能してよい。
【００２１】
図1に示すように、スケジューリングエンティティ108は、1つまたは複数のスケジュールドエンティティ106にダウンリンクトラフィック112をブロードキャストしてよい。概して、スケジューリングエンティティ108は、ダウンリンクトラフィック112、およびいくつかの例では、1つまたは複数のスケジュールドエンティティ106からスケジューリングエンティティ108へのアップリンクトラフィック116を含む、ワイヤレス通信ネットワークの中のトラフィックをスケジュールすることを担当する、ノードまたはデバイスである。一方、スケジュールドエンティティ106は、限定はしないが、スケジューリング情報(たとえば、許可)、同期情報もしくはタイミング情報、または他の制御情報を含む、ダウンリンク制御情報114を、スケジューリングエンティティ108などのワイヤレス通信ネットワークの中の別のエンティティから受信する、ノードまたはデバイスである。
【００２２】
一般に、基地局108は、ワイヤレス通信システムのバックホール部分120との通信のためのバックホールインターフェースを含んでよい。バックホール120は、基地局108とコアネットワーク102との間のリンクを提供し得る。さらに、いくつかの例では、バックホールネットワークは、それぞれの基地局108の間の相互接続を提供し得る。任意の好適なトランスポートネットワークを使用する直接物理接続、仮想ネットワークなどの、様々なタイプのバックホールインターフェースが採用されてよい。
【００２３】
コアネットワーク102は、ワイヤレス通信システム100の一部であってよく、RAN104の中で使用される無線アクセス技術とは無関係であってよい。いくつかの例では、コアネットワーク102は、5G規格(たとえば、5GC)に従って構成され得る。他の例では、コアネットワーク102は、4G発展型パケットコア(EPC)または任意の他の好適な規格もしくは構成に従って構成され得る。
【００２４】
次に図2を参照すると、限定はしないが例として、RAN200の概略図が提供される。いくつかの例では、RAN200は、上記で説明し図1に示したRAN104と同じであってよい。RAN200によってカバーされる地理的エリアは、1つのアクセスポイントまたは基地局からブロードキャストされる識別情報に基づいてユーザ機器(UE)によって固有に識別され得る、セルラー領域(セル)に分割され得る(たとえば、eNBまたはgNB)。図2は、マクロセル202、204、および206、ならびにスモールセル208を示し、その各々は、1つまたは複数のセクタ(図示せず)を含んでよい。セクタはセルのサブエリアである。1つのセル内のすべてのセクタが、同じ基地局によってサービスされる。セクタ内の無線リンクは、そのセクタに属する単一の論理的な識別情報によって識別され得る。セクタに分割されているセルでは、セル内の複数のセクタは、アンテナのグループによって形成され得、各アンテナは、セルの一部分の中のUEとの通信を担当する。
【００２５】
図2では、2つの基地局210および212がセル202および204の中に示され、セル206の中のリモートラジオヘッド(RRH)216を制御する第3の基地局214が示される。すなわち、基地局は、統合されたアンテナを有することができるか、またはフィーダケーブルによってアンテナもしくはRRHに接続され得る。図示の例では、基地局210、212、および214はサイズが大きいセルをサポートするので、セル202、204、および206はマクロセルと呼ばれることがある。さらに、基地局218が、1つまたは複数のマクロセルとオーバーラップすることがあるスモールセル208(たとえば、マイクロセル、ピコセル、フェムトセル、ホーム基地局、ホームノードB、ホームeノードBなど)の中に示される。この例では、基地局218はサイズが比較的小さいセルをサポートするので、セル208はスモールセルと呼ばれることがある。セルサイズ決定は、システム設計ならびに構成要素制約に従って行われ得る。
【００２６】
無線アクセスネットワーク200が任意の数のワイヤレス基地局およびセルを含んでよいことを理解されたい。さらに、所与のセルのサイズまたはカバレージエリアを拡大するために、中継ノードが展開されてよい。基地局210、212、214、218は、任意の数のモバイル装置にコアネットワークへのワイヤレスアクセスポイントを提供する。いくつかの例では、基地局210、212、214、および/または218は、上記で説明し図1に示した基地局/スケジューリングエンティティ108と同じであってよい。
【００２７】
図2は、基地局として機能するように構成され得るクアッドコプターまたはドローン220をさらに含む。すなわち、いくつかの例では、セルは、必ずしも静止しているとは限らないことがあり、セルの地理的エリアは、クアッドコプター220などのモバイル基地局のロケーションに従って移動することがある。
【００２８】
RAN200内では、セルは、各セルの1つまたは複数のセクタと通信していることがあるUEを含んでよい。さらに、各基地局210、212、214、218、および220は、それぞれのセルの中のすべてのUEにコアネットワーク102(図1参照)へのアクセスポイントを提供するように構成され得る。たとえば、UE222および224は、基地局210と通信していてよく、UE226および228は、基地局212と通信していてよく、UE230および232は、RRH216を経由して基地局214と通信していてよく、UE234は、基地局218と通信していてよく、UE236は、モバイル基地局220と通信していてよい。いくつかの例では、UE222、224、226、228、230、232、234、236、238、240、および/または242は、上記で説明し図1に示したUE/スケジュールドエンティティ106と同じであってよい。
【００２９】
いくつかの例では、モバイルネットワークノード(たとえば、クアッドコプター220)は、UEとして機能するように構成され得る。たとえば、クアッドコプター220は、基地局210と通信することによってセル202内で動作し得る。
【００３０】
RAN200のさらなる態様では、基地局からのスケジューリング情報または制御情報に必ずしも依拠することなく、UE間でサイドリンク信号が使用され得る。たとえば、2つ以上のUE(たとえば、UE226および228)は、基地局(たとえば、基地局212)を通じてその通信を中継することなく、ピアツーピア(P2P:Peer to Peer)信号またはサイドリンク信号227を使用して互いに通信し得る。さらなる例では、UE240および242と通信するUE238が示される。ここで、UE238はスケジューリングエンティティまたは1次サイドリンクデバイスとして機能してよく、UE240および242はスケジュールドエンティティまたは非1次(たとえば、2次)サイドリンクデバイスとして機能してよい。さらに別の例では、UEは、デバイス間(D2D:Device-to-Device)ネットワーク、ピアツーピア(P2P)ネットワーク、もしくは車両間(V2V:Vehicle-to-Vehicle)ネットワークにおいて、かつ/またはメッシュネットワークにおいて、スケジューリングエンティティとして機能してよい。メッシュネットワーク例では、UE240および242は、スケジューリングエンティティ238と通信することに加えて、随意に互いに直接通信し得る。したがって、時間周波数リソースへのスケジュール型アクセスを伴い、セルラー構成、P2P構成、またはメッシュ構成を有するワイヤレス通信システムでは、スケジューリングエンティティおよび1つまたは複数のスケジュールドエンティティは、スケジュールされたリソースを利用して通信し得る。
【００３１】
無線アクセスネットワーク200では、そのロケーションとは無関係にUEが移動しながら通信するための能力は、モビリティと呼ばれる。UEと無線アクセスネットワークとの間の様々な物理チャネルは、概して、アクセスおよびモビリティ管理機能(AMF、図示せず、図1のコアネットワーク102の一部)の制御下でセットアップ、維持、および解放され、AMFは、制御プレーン機能とユーザプレーン機能の両方のためのセキュリティコンテキストを管理するセキュリティコンテキスト管理機能(SCMF:Security Context Management Function)、および認証を実行するセキュリティアンカー機能(SEAF:SEcurity Anchor Function)を含んでよい。
【００３２】
本開示の様々な態様では、無線アクセスネットワーク200は、モビリティおよびハンドオーバ(すなわち、ある無線チャネルから別の無線チャネルへのUEの接続の移転)を可能にするために、DLベースのモビリティまたはULベースのモビリティを利用し得る。DLベースのモビリティのために構成されたネットワークでは、スケジューリングエンティティとの呼の間、または任意の他の時間において、UEは、そのサービングセルからの信号の様々なパラメータ、ならびに近隣セルの様々なパラメータを監視し得る。これらのパラメータの品質に応じて、UEは、近隣セルのうちの1つまたは複数との通信を維持し得る。この時間の間に、あるセルから別のセルにUEが移動する場合、または近隣セルからの信号品質が、所与の時間量にわたってサービングセルからの信号品質を超える場合、UEは、サービングセルから近隣(ターゲット)セルへのハンドオフまたはハンドオーバを引き受けてよい。たとえば、UE224(車両として図示されるが、任意の好適な形態のUEが使用されてよい)は、そのサービングセル202に対応する地理的エリアから近隣セル206に対応する地理的エリアに移動することがある。近隣セル206からの信号強度または信号品質が、所与の時間量にわたってそのサービングセル202の信号強度または信号品質を超えるとき、UE224は、この状態を示す報告メッセージをそのサービング基地局210へ送信してよい。それに応答して、UE224は、ハンドオーバコマンドを受信し得、UEは、セル206へのハンドオーバを受けてよい。
【００３３】
ULベースのモビリティのために構成されたネットワークでは、UEごとにサービングセルを選択するために、各UEからのUL基準信号がネットワークによって利用され得る。いくつかの例では、基地局210、212、および214/216は、統合同期信号(たとえば、統合1次同期信号(PSS:Primary Synchronization Signal)、統合2次同期信号(SSS:Secondary Synchronization Signal)、および統合物理ブロードキャストチャネル(PBCH:Physical Broadcast Channel))をブロードキャストしてよい。UE222、224、226、228、230、および232は、統合同期信号を受信し得、同期信号からキャリア周波数およびスロットタイミングを導出し得、タイミングの導出に応答して、アップリンクパイロット信号または基準信号を送信してよい。UE(たとえば、UE224)によって送信されるアップリンクパイロット信号は、無線アクセスネットワーク200内の2つ以上のセル(たとえば、基地局210および214/216)によって並行して受信され得る。セルの各々がパイロット信号の強度を測定してよく、無線アクセスネットワーク(たとえば、基地局210および214/216、ならびに/またはコアネットワーク内の中心ノードのうちの1つまたは複数)は、UE224のためのサービングセルを決定してよい。UE224が無線アクセスネットワーク200を通って移動するとき、ネットワークは、UE224によって送信されたアップリンクパイロット信号を監視し続けてよい。近隣セルによって測定されたパイロット信号の信号強度または信号品質がサービングセルによって測定された信号強度または信号品質を超えるとき、ネットワーク200は、UE224に通知してまたは通知せずに、サービングセルから近隣セルにUE224をハンドオーバさせてよい。
【００３４】
基地局210、212、および214/216によって送信される同期信号は統合されてよいが、同期信号は、特定のセルを識別しないことがあり、むしろ同じ周波数上および/または同じタイミングで動作する複数のセルのゾーンを識別し得る。5Gネットワークまたは他の次世代通信ネットワークにおけるゾーンの使用は、アップリンクベースのモビリティフレームワークを可能にし、UEとネットワークとの間で交換される必要があるモビリティメッセージの数が低減され得るのでUEとネットワークの両方の効率を改善する。
【００３５】
様々な実装形態では、無線アクセスネットワーク200の中のエアインターフェースは、認可スペクトル、無認可スペクトル、または共有スペクトルを利用し得る。認可スペクトルは、一般に、モバイルネットワーク事業者が政府規制団体からライセンスを購入することによって、スペクトルの一部分の独占的使用を提供する。無認可スペクトルは、政府が許可したライセンスの必要なしに、スペクトルの一部分の共用を提供する。いくつかの技術的な規則の遵守は、一般に、やはり無認可スペクトルにアクセスするために必要とされるが、一般に、いかなる事業者またはデバイスもアクセスを得ることができる。共有スペクトルは、認可スペクトルと無認可スペクトルとの間に入ってよく、スペクトルにアクセスするために技術的な規則または限定が必要とされることがあるが、スペクトルは、やはり複数の事業者および/または複数のRATによって共有され得る。たとえば、認可スペクトルの一部分に対するライセンスの保有者は、たとえば、被認可者が決定した好適な条件を伴ってそのスペクトルを他の当事者と共有してアクセスを得るための、認可型共有アクセス(LSA:Licensed Shared Access)を提供し得る。
【００３６】
無線アクセスネットワーク200の中のエアインターフェースは、1つまたは複数の複信アルゴリズムを利用し得る。複信とは、両方の端点が両方向で互いに通信できるポイントツーポイント通信リンクを指す。全二重とは、両方の端点が互いに同時に通信できることを意味する。半二重とは、一度に一方の端点のみが他方に情報を送ることができることを意味する。ワイヤレスリンクでは、全二重チャネルは、概して、送信機と受信機との物理的な隔離、および好適な干渉消去技術に依拠する。周波数分割複信(FDD)または時分割複信(TDD)を利用することによって、しばしば、ワイヤレスリンクに対して全二重エミュレーションが実施される。FDDでは、異なる方向での送信は、異なるキャリア周波数において動作する。TDDでは、所与のチャネル上の異なる方向での送信は、時分割多重化を使用して互いに分離される。すなわち、いくつかの時間において、チャネルは、ある方向での送信のために専用化され、他の時間において、チャネルは、他の方向での送信のために専用化され、ここで、方向は、極めて急速に、たとえば、スロット当り数回変化することがある。
【００３７】
本開示のいくつかの態様では、スケジューリングエンティティおよび/またはスケジュールドエンティティは、ビームフォーミングおよび/または多入力多出力(MIMO)技術のために構成され得る。図3は、MIMOをサポートするワイヤレス通信システム300の一例を示す。MIMOシステムでは、送信機302は複数の送信アンテナ304(たとえば、N個の送信アンテナ)を含み、受信機306は複数の受信アンテナ308(たとえば、M個の受信アンテナ)を含む。したがって、送信アンテナ304から受信アンテナ308へのN×M個の信号経路310がある。送信機302および受信機306の各々は、たとえば、スケジューリングエンティティ108、スケジュールドエンティティ106、または任意の他の好適なワイヤレス通信デバイス内に実装され得る。
【００３８】
そのような複数アンテナ技術の使用により、ワイヤレス通信システムが空間領域を活用して、空間多重化、ビームフォーミング、および送信ダイバーシティをサポートすることが可能になる。空間多重化は、レイヤとも呼ばれる、データの異なるストリームを同じ時間周波数リソース上で同時に送信するために使用され得る。データストリームは、データレートを大きくするために単一のUEへ、または全体的なシステム容量を大きくするために複数のUEへ送信されてよく、後者はマルチユーザMIMO(MU-MIMO)と呼ばれる。このことは、各データストリームを空間的にプリコーディングし(すなわち、異なる重み付けおよび位相シフトを用いてデータストリームを増倍し)、次いで、空間的にプリコーディングされた各ストリームをダウンリンク上で複数の送信アンテナを通じて送信することによって達成される。空間的にプリコーディングされたデータストリームは、異なる空間シグネチャを伴ってUEに到着し、これにより、UEの各々が、そのUEに向けられた1つまたは複数のデータストリームを復元することが可能になる。アップリンク上では、各UEは、空間的にプリコーディングされたデータストリームを送信し、これにより、基地局が、空間的にプリコーディングされた各データストリームのソースを識別することが可能になる。
【００３９】
データストリームまたはレイヤの数は、送信のランクに対応する。概して、MIMOシステム300のランクは、どちらか少ないほうの送信アンテナ304または受信アンテナ308の数によって制限される。加えて、UEにおけるチャネル状態、ならびに基地局における利用可能なリソースなどの他の考慮事項も、送信ランクに影響を及ぼすことがある。たとえば、ダウンリンク上で特定のUEに割り当てられるランク(したがって、データストリームの数)は、UEから基地局へ送信されるランクインジケータ(RI)に基づいて決定され得る。RIは、アンテナ構成(たとえば、送信アンテナおよび受信アンテナの数)、および受信アンテナの各々に対する測定された信号対干渉雑音比(SINR)に基づいて決定され得る。RIは、たとえば、現在のチャネル状態の下でサポートされ得るレイヤの数を示してよい。基地局は、送信ランクをUEに割り当てるために、リソース情報(たとえば、利用可能なリソース、およびUEのためにスケジュールされるべきデータの量)とともに、RIを使用し得る。
【００４０】
時分割複信(TDD)システムでは、ULおよびDLは、同じ周波数帯域幅の異なるタイムスロットを各々が使用するという点で相互的である。したがって、TDDシステムでは、基地局は、UL SINR測定値に基づいて(たとえば、UEから送信されるサウンディング基準信号(SRS:Sounding Reference Signal)、または他のパイロット信号に基づいて)DL MIMO送信に対するランクを割り当ててよい。割り当てられたランクに基づいて、基地局は、次いで、マルチレイヤチャネル推定を行うために、レイヤごとに別個のC-RS系列を有するCSI-RSを送信してよい。CSI-RSから、UEは、レイヤおよびリソースブロックにわたってチャネル品質を測定してよく、ランクを更新するとともに将来のダウンリンク送信のためにREを割り当てる際に使用するための、チャネル品質インジケータ(CQI:channel quality indicator)およびRI値を基地局にフィードバックしてよい。
【００４１】
最も単純な場合、図3に示すように、2×2 MIMOアンテナ構成におけるランク2空間多重化送信は、各送信アンテナ304から1つのデータストリームを送信する。各データストリームは、異なる信号経路310に沿って各受信アンテナ308に到達する。受信機306は、次いで、各受信アンテナ308からの受信信号を使用してデータストリームを再構成し得る。
【００４２】
依然として極めて高いデータレートを達成しながら無線アクセスネットワーク200を介した送信が低ブロック誤り率(BLER)を取得するために、チャネルコーディングが使用され得る。すなわち、ワイヤレス通信は、一般に、好適な誤り訂正ブロック符号を利用し得る。典型的なブロック符号では、情報メッセージまたは情報シーケンスが符号ブロック(CB:Code Block)に分割され、送信デバイスにおけるエンコーダ(たとえば、コーデック)が、次いで、冗長性を数学的に情報メッセージに加える。符号化された情報メッセージにおけるこの冗長性の活用は、メッセージの信頼性を改善することができ、雑音に起因して発生することがある任意のビット誤りに対する訂正を可能にする。
【００４３】
5G NR仕様では、ユーザデータは、2つの異なるベースグラフを用いた疑似巡回低密度パリティ検査(LDPC)を使用してコーディングされ、すなわち、大きい符号ブロックおよび/または高い符号レートに対して一方のベースグラフが使用され、それ以外は他方のベースグラフが使用される。制御情報および物理ブロードキャストチャネル(PBCH)は、ネストされた系列に基づいて、ポーラコーディングを使用してコーディングされる。これらのチャネルに対して、レートマッチングのためにパンクチャリング、短縮、および反復が使用される。
【００４４】
しかしながら、本開示の態様が任意の好適なチャネル符号を利用して実施され得ることが、当業者には理解されよう。スケジューリングエンティティ108およびスケジュールドエンティティ106の様々な実装形態は、ワイヤレス通信用のこれらのチャネル符号のうちの1つまたは複数を利用するための好適なハードウェアおよび能力(たとえば、エンコーダ、デコーダ、および/またはコーデック)を含んでよい。
【００４５】
無線アクセスネットワーク200の中のエアインターフェースは、様々なデバイスの同時通信を可能にするために、1つまたは複数の多重化および多元接続アルゴリズムを利用し得る。たとえば、5G NR仕様は、UE222および224から基地局210へのUL送信に対して、またサイクリックプレフィックス(CP:Cyclic Prefix)を用いた直交周波数分割多重化(OFDM)を利用する、基地局210から1つまたは複数のUE222および224へのDL送信用の多重化に対して、多元接続を提供する。加えて、UL送信に対して、5G NR仕様は、CPを用いた離散フーリエ変換拡散OFDM(DFT-s-OFDM)(シングルキャリアFDMA(SC-FDMA)とも呼ばれる)に対するサポートを提供する。ただし、本開示の範囲内では、多重化および多元接続は、上記の方式に限定されず、時分割多元接続(TDMA)、符号分割多元接続(CDMA)、周波数分割多元接続(FDMA)、スパース符号多元接続(SCMA)、リソース拡散多元接続(RSMA)、または他の好適な多元接続方式を利用して行われてよい。さらに、基地局210からUE222および224へのDL送信を多重化することは、時分割多重化(TDM)、符号分割多重化(CDM)、周波数分割多重化(FDM)、直交周波数分割多重化(OFDM)、スパース符号多重化(SCM)、または他の好適な多重化方式を利用して行われてよい。
【００４６】
本開示の様々な態様が、図4に概略的に示すOFDM波形を参照しながら説明される。本開示の様々な態様が、本明細書において以下で説明するような実質的に同じ方法でDFT-s-OFDMA波形に適用され得ることを、当業者は理解されたい。すなわち、本開示のいくつかの例は、明快のためにOFDMリンクに焦点を合わせることがあるが、同じ原理がDFT-s-OFDM波形にも同様に適用され得ることを理解されたい。
【００４７】
本開示内では、フレームとは、ワイヤレス送信のための所定の持続時間(たとえば、10ms)を指し、各フレームは所定数のサブフレーム(たとえば、各1msの10個のサブフレーム)からなる。所与のキャリア上で、ULにおけるフレームの1つのセット、およびDLにおけるフレームの別のセットがあってよい。次に図4を参照すると、OFDMリソースグリッド404を示す、例示的なサブフレーム402の拡大図が図示される。ただし、当業者が容易に諒解するように、任意の特定の適用例のためのPHY送信構造は、任意の数の要因に応じて、ここで説明する例とは異なることがある。ここで、時間はOFDMシンボルの単位を伴って水平方向にあり、周波数はサブキャリアまたはトーンの単位を伴って垂直方向にある。
【００４８】
所与のアンテナポートのための時間周波数リソースを概略的に表すために、リソースグリッド404が使用され得る。すなわち、利用可能な複数のアンテナポートを有するMIMO実装形態では、対応する倍数のリソースグリッド404が、通信のために利用可能であってよい。リソースグリッド404は、複数のリソース要素(RE:Resource Element)406に分割される。1サブキャリア×1シンボルであるREが、時間周波数グリッドの最小の個別部分であり、物理チャネルまたは信号からのデータを表す単一の複素数値を含む。特定の実装形態において利用される変調に応じて、各REは情報の1つまたは複数のビットを表してよい。いくつかの例では、REのブロックは、物理リソースブロック(PRB:Physical Resource Block)、またはより簡単にリソースブロック(RB:Resource Block)408と呼ばれることがあり、周波数領域において任意の好適な本数の連続したサブキャリアを含む。一例では、RBは12本のサブキャリアを含んでよく、ヌメロロジーとは無関係の本数が使用される。いくつかの例では、ヌメロロジーに応じて、RBは時間領域において任意の好適な本数の連続したOFDMシンボルを含んでよい。本開示内では、RB408などの単一のRBが、通信の単一の方向(所与のデバイスのための送信または受信のいずれか)に完全に対応することが前提とされる。
【００４９】
UEは、一般に、リソースグリッド404のサブセットのみを利用する。RBは、UEに割り振られ得るリソースの最小単位であってよい。したがって、UEのためにスケジュールされるRBが多ければ多いほど、かつエアインターフェースのために選ばれる変調方式が高ければ高いほど、UEに対するデータレートが高くなる。
【００５０】
この例示では、RB408はサブフレーム402の帯域幅全体未満を占有するものとして示され、一部のサブキャリアはRB408の上および下に示される。所与の実装形態では、サブフレーム402は、1つまたは複数のうちの任意の数のRB408に対応する帯域幅を有してよい。さらに、この例示では、RB408はサブフレーム402の持続時間全体未満を占有するものとして示されるが、このことは1つの可能な例にすぎない。
【００５１】
各サブフレーム(たとえば、1msサブフレーム402)は、1つまたは複数の隣接するスロットからなり得る。図4に示す例では、例示的な一例として、1つのサブフレーム402が4つのスロット410を含む。いくつかの例では、スロットは、所与のサイクリックプレフィックス(CP)長を有する指定された数のOFDMシンボルに従って規定され得る。たとえば、スロットは、公称のCPを伴う7個または14個のOFDMシンボルを含んでよい。追加の例は、より短い持続時間(たとえば、1つまたは2つのOFDMシンボル)を有するミニスロットを含んでよい。これらのミニスロットは、場合によっては、同じかまたは異なるUEのための進行中のスロット送信のためにスケジュールされたリソースを占有して送信されてよい。
【００５２】
スロット410のうちの1つの拡大図は、制御領域412およびデータ領域414を含むスロット410を示す。概して、制御領域412は制御チャネル(たとえば、PDCCH)を搬送してよく、データ領域414はデータチャネル(たとえば、PDSCHまたはPUSCH)を搬送してよい。当然、スロットは、すべてがDL、すべてがUL、または少なくとも1つのDL部分および少なくとも1つのUL部分を含んでよい。図4に示す単純な構造は本質的に例にすぎず、異なるスロット構造が利用されてよく制御領域およびデータ領域の各々のうちの1つまたは複数を含んでよい。
【００５３】
図4に示さないが、RB408内の様々なRE406は、制御チャネル、共有チャネル、データチャネルなどを含む、1つまたは複数の物理チャネルを搬送するためにスケジュールされてよい。RB408内の他のRE406も、限定はしないが、復調基準信号(DMRS:Demodulation Reference Signal)、制御基準信号(CRS:Control Reference Signal)、またはサウンディング基準信号(SRS)を含む、パイロットまたは基準信号を搬送し得る。これらのパイロットまたは基準信号は、受信デバイスが対応するチャネルのチャネル推定を実行することを実現してよく、これにより、RB408内の制御チャネルおよび/またはデータチャネルのコヒーレントな復調/検出が可能になり得る。
【００５４】
DL送信では、送信デバイス(たとえば、スケジューリングエンティティ108)は、物理ブロードキャストチャネル(PBCH:physical broadcast channel)、物理ダウンリンク制御チャネル(PDCCH:physical downlink control channel)などの、一般に上位レイヤから発する情報を搬送する1つまたは複数のDL制御チャネルを含むDL制御情報114を、1つまたは複数のスケジュールドエンティティ106に搬送するために、(たとえば、制御領域412内の)1つまたは複数のRE406を割り振ってよい。加えて、DL REは、一般に上位レイヤから発する情報を搬送しないDL物理信号を搬送するために、割り振られてよい。これらのDL物理信号は、1次同期信号(PSS)、2次同期信号(SSS)、復調基準信号(DM-RS)、位相追跡基準信号(PT-RS:phase-tracking reference signal)、チャネル状態情報基準信号(CSI-RS:channel-state information reference signal)などを含んでよい。
【００５５】
同期信号PSSおよびSSS(SSと総称される)、ならびにいくつかの例ではPBCHは、時間インデックスを介して0から3まで昇順に番号付けされた4つの連続したOFDMシンボルを含むSSブロックの中で送信されてよい。周波数領域において、SSブロックは、周波数インデックスを介して0から239までサブキャリアが昇順に番号付けされて、連続する240個のサブキャリアにわたって広がってよい。当然、本開示はこの特定のSSブロック構成に限定されない。他の非限定的な例は、本開示の範囲内で、2つの同期信号よりも多数または少数を利用してよく、PBCHに加えて1つまたは複数の追加のチャネルを含んでよく、PBCHを省略してよく、かつ/または連続しないシンボルをSSブロックのために利用してよい。
【００５６】
PDCCHは、限定はしないが、電力制御コマンド、スケジューリング情報、許可、ならびに/またはDL送信およびUL送信に対するREの割当てを含む、セルの中の1つまたは複数のUE用のダウンリンク制御情報(DCI:downlink control information)を搬送し得る。
【００５７】
UL送信では、送信デバイス(たとえば、スケジュールドエンティティ106)は、物理アップリンク制御チャネル(PUCCH)、物理ランダムアクセスチャネル(PRACH:physical random access channel)などの、1つまたは複数のUL制御チャネルを介して上位レイヤから発するUL制御情報118を、スケジューリングエンティティ108に搬送するために、1つまたは複数のRE406を利用し得る。さらに、UL REは、復調基準信号(DM-RS)、位相追跡基準信号(PT-RS)、サウンディング基準信号(SRS)、チャネル状態情報(CSI)などの、一般に上位レイヤから発する情報を搬送しないUL物理信号を搬送し得る。いくつかの例では、制御情報118は、スケジューリング要求(SR:scheduling request)、すなわち、スケジューリングエンティティ108がアップリンク送信をスケジュールすることを求める要求を含んでよい。ここで、制御チャネル118上で送信されたSRに応答して、スケジューリングエンティティ108は、アップリンクパケット送信用のリソースをスケジュールし得るダウンリンク制御情報114を送信してよい。UL制御情報はまた、肯定応答(ACK)もしくは否定応答(NACK)、チャネル状態情報(CSI)、または任意の他の好適なUL制御情報などの、ハイブリッド自動再送要求(HARQ:hybrid automatic repeat request)フィードバックを含んでよい。HARQは当業者によく知られている技法であり、たとえば、チェックサムまたは巡回冗長検査(CRC)などの任意の好適な完全性検査メカニズムを利用して、正確さを求めてパケット送信の完全性が受信側において検査され得る。送信の完全性が確認される場合、ACKが送信されてよいが、確認されない場合、NACKが送信されてよい。NACKに応答して、送信デバイスは、チェース合成(chase combining)、インクリメンタル冗長(incremental redundancy)などを実施し得る、HARQ再送信を送ってよい。
【００５８】
制御情報に加えて、(たとえば、データ領域414内の)1つまたは複数のRE406が、ユーザデータまたはトラフィックデータに対して割り振られてよい。そのようなトラフィックは、DL送信、すなわち、物理ダウンリンク共有チャネル(PDSCH:Physical Downlink Shared CHannel)のために、またはUL送信、すなわち、物理アップリンク共有チャネル(PUSCH:Physical Uplink Shared CHannel)のためになどの、1つまたは複数のトラフィックチャネル上で搬送され得る。
【００５９】
UEがセルへの初期アクセスを得るために、RANは、セルを特徴づけるシステム情報(SI:system information)を提供し得る。このシステム情報は、最小システム情報(MSI:minimum system information)および他のシステム情報(OSI:other system information)を利用して提供され得る。初期セルアクセスのために、かつ周期的にブロードキャストされることがあるかまたはオンデマンドで送られることがある任意のOSIを捕捉するために必要とされる、最も基本的な情報を提供するために、MSIがセルにわたって周期的にブロードキャストされ得る。いくつかの例では、MSIは、2つの異なるダウンリンクチャネルを介して提供され得る。たとえば、PBCHがマスタ情報ブロック(MIB:master information block)を搬送してよく、PDSCHがシステム情報ブロックタイプ1(SIB1:system information block type 1)を搬送してよい。当技術分野では、SIB1は、残存最小システム情報(RMSI:remaining minimum system information)と呼ばれることがある。
【００６０】
OSIは、MSIの中でブロードキャストされない任意のSIを含んでよい。いくつかの例では、PDSCHは、上記で説明したSIB1に限定されず、複数のSIBを搬送し得る。ここで、OSIは、これらのSIB、たとえば、SIB2および上記のSIBの中で提供され得る。
【００６１】
上記で説明し図1および図4に示したチャネルまたはキャリアは、必ずしもスケジューリングエンティティ108とスケジュールドエンティティ106との間で利用され得るすべてのチャネルまたはキャリアであるとは限らず、図示したものに加えて、他のトラフィックチャネル、制御チャネル、およびフィードバックチャネルなどの他のチャネルまたはキャリアが利用され得ることを、当業者は認識されよう。
【００６２】
上記で説明したこれらの物理チャネルは、概して、媒体アクセス制御(MAC)レイヤにおける取扱いのために、多重化されるとともにトランスポートチャネルにマッピングされる。トランスポートチャネルは、トランスポートブロック(TB:Transport Block)と呼ばれる情報のブロックを搬送する。情報のビット数に対応し得るトランスポートブロックサイズ(TBS:Transport Block Size)は、変調およびコーディング方式(MCS)ならびに所与の送信の中のRBの数に基づく、制御されたパラメータであってよい。
【００６３】
図5は、処理システム514を採用するスケジューリングエンティティ500のためのハードウェア実装形態の一例を示すブロック図である。たとえば、スケジューリングエンティティ500は、図1および/または図2のうちのいずれか1つまたは複数に図示したようなユーザ機器(UE)であってよい。別の例では、スケジューリングエンティティ500は、図1および/または図2のうちのいずれか1つまたは複数で示したような基地局であってよい。
【００６４】
スケジューリングエンティティ500は、1つまたは複数のプロセッサ504を含む処理システム514を用いて実装され得る。プロセッサ504の例は、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および本開示全体にわたって説明する様々な機能を実行するように構成された他の好適なハードウェアを含む。様々な例では、スケジューリングエンティティ500は、本明細書で説明する機能のうちのいずれか1つまたは複数を実行するように構成され得る。すなわち、スケジューリングエンティティ500の中で利用されるようなプロセッサ504は、以下で説明するとともに図7〜図14に示すプロセスおよび手順のうちのいずれか1つまたは複数を実施するために使用され得る。
【００６５】
この例では、処理システム514は、バス502によって概略的に表されるバスアーキテクチャを用いて実装され得る。バス502は、処理システム514の特定の適用例および全体的な設計制約に応じて、任意の数の相互接続バスおよびブリッジを含んでよい。バス502は、1つまたは複数のプロセッサ(プロセッサ504によって概略的に表される)、メモリ505、およびコンピュータ可読媒体(コンピュータ可読媒体506によって概略的に表される)を含む様々な回路を、互いに通信可能に結合する。バス502はまた、タイミングソース、周辺装置、電圧調整器、および電力管理回路などの、様々な他の回路をリンクさせてよく、それらは当技術分野でよく知られており、したがって、これ以上は説明しない。バスインターフェース508は、バス502とトランシーバ510との間のインターフェースを提供する。トランシーバ510は、伝送媒体を介して様々な他の装置と通信するための通信インターフェースまたは通信手段を提供する。装置の性質に応じて、ユーザインターフェース512(たとえば、キーパッド、ディスプレイ、スピーカー、マイクロフォン、ジョイスティック)も設けられてよい。当然、そのようなユーザインターフェース512は随意であり、基地局などのいくつかの例では省略されてよい。
【００６６】
本開示のいくつかの態様では、プロセッサ504は、図7〜図14に関して説明する機能およびプロシージャのうちの1つまたは複数を実施するように構成された回路構成(たとえば、処理回路540および通信回路542)を含んでよい。
【００６７】
プロセッサ504は、バス502を管理すること、およびコンピュータ可読媒体506上に記憶されたソフトウェアの実行を含む全般的な処理を担当する。ソフトウェアは、プロセッサ504によって実行されたとき、任意の特定の装置に対して以下で説明する様々な機能を処理システム514に実行させる。コンピュータ可読媒体506およびメモリ505も、ソフトウェアを実行するときにプロセッサ504によって操作されるデータを記憶するために使用され得る。
【００６８】
処理システムの中の1つまたは複数のプロセッサ504は、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるものとする。ソフトウェアは、コンピュータ可読媒体506上に常駐してよい。コンピュータ可読媒体506は、非一時的コンピュータ可読媒体であってよい。非一時的コンピュータ可読媒体は、例として、磁気記憶デバイス(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータによってアクセスされ得るとともに読み取られ得るソフトウェアおよび/または命令を記憶するための任意の他の好適な媒体を含む。コンピュータ可読媒体506は、処理システム514の中に存在してよく、処理システム514の外部に存在してよく、または処理システム514を含む複数のエンティティにわたって分散されてもよい。コンピュータ可読媒体506は、コンピュータプログラム製品の中に具現され得る。例として、コンピュータプログラム製品は、パッケージング材料の中のコンピュータ可読媒体を含んでよい。特定の適用例およびシステム全体に課された全体的な設計制約に応じて、本開示全体にわたって提示される説明する機能を実装するための最良の方法を、当業者は認識されよう。
【００６９】
1つまたは複数の例では、コンピュータ可読記憶媒体506は、図7〜図14に関して説明する機能およびプロシージャのうちの1つまたは複数を実施するように構成されたソフトウェア(たとえば、処理命令552および通信命令554)を含んでよい。
【００７０】
図6は、処理システム614を採用する例示的なスケジュールドエンティティ600のためのハードウェア実装形態の一例を示す概念図である。本開示の様々な態様によれば、要素、または要素の任意の部分、または要素の任意の組合せは、1つまたは複数のプロセッサ604を含む処理システム614を用いて実装され得る。たとえば、スケジュールドエンティティ600は、図1および/または図2のうちのいずれか1つまたは複数で図示したようなユーザ機器(UE)であってよい。
【００７１】
処理システム614は、図8に示す処理システム814と実質的に同じであってよく、バスインターフェース608、バス602、メモリ605、プロセッサ604、およびコンピュータ可読媒体606を含む。さらに、スケジュールドエンティティ600は、図8において上記で説明したものと実質的に類似のユーザインターフェース612およびトランシーバ610を含んでよい。すなわち、プロセッサ604は、スケジュールドエンティティ600の中で利用されるとき、図7〜図14に関連して説明および図示するプロセスおよび機能のうちのいずれか1つまたは複数を実施するために使用され得る。
【００７２】
本開示のいくつかの態様では、プロセッサ604は、図7〜図14に関して説明する様々な機能およびプロシージャのために構成された回路構成(たとえば、処理回路640、リソースマッピング回路642、および通信回路644)を含んでよい。処理回路640は、本開示で説明するようにワイヤレス通信の中で使用される様々なデータ処理機能を実行するように構成され得る。リソースマッピング回路642は、被変調シンボル(たとえば、被変調UCIシンボルまたは情報)をアップリンクチャネル(たとえば、PUSCH)のREにマッピングするための、様々な機能を実行するように構成され得る。通信回路644は、アップリンクチャネル(たとえば、PUSCH)の中でデータを送信するか、またはダウンリンクチャネル(たとえば、PDSCHまたはPDCCH)の中でデータを受信するための、様々な機能を実行するように構成され得る。いくつかの例では、通信回路644がリソースマッピング回路642を含んでよい。いくつかの例では、リソースマッピング回路642および通信回路644は、両方の回路の機能を提供する同じ回路構成によって実装されてよい。
【００７３】
1つまたは複数の例では、コンピュータ可読記憶媒体606は、図7〜図14に関して説明する機能およびプロシージャのうちの1つまたは複数を実施するように構成されたソフトウェア(たとえば、処理命令652、リソースマッピング命令654、および通信命令656)を含んでよい。
【００７４】
本開示のいくつかの態様は、統合マッピング規則を使用して、同じスロットの中で同時かまたは実質的に同時のPUCCH送信とPUSCH送信とを多重化するための様々な方法を提供する。いくつかの例では、PUCCHは、PUSCHに割り当てられたリソースブロック(RB)上でピギーバックされ得る。PUCCHは、様々な情報を基地局またはスケジューリングエンティティに提供し得るアップリンク制御情報(UCI)を搬送する。たとえば、UCIは、HARQ-ACK(たとえば、ACKおよびNACK)およびチャネル状態情報(CSI)を含んでよい。例示的なCSIは、様々な情報、たとえば、チャネル品質インジケータ(CQI)、プリコーディング行列インジケータ(PMI:precoding matrix indicator)、プリコーディングタイプインジケータ(PTI:precoding type indicator)、ランク表示(RI)などを含んでよい。本開示では、CSIの情報は、2つの部分、すなわち、CSI部分1およびCSI部分2に分割され得る。CSI部分1は、第1のコードワードに対するRIおよびCQIを含んでよく、CSI部分2は、第2のコードワードに対するPMIおよびCQI、ならびにビーム関連情報などの他の情報を含んでよい。コードワードは、送信用にフォーマットされる前のデータ、または符号化した後のデータを表し得る。1つまたは複数のコードワードは、チャネルの条件および使用事例に応じて使用され得る。本開示では、HARQ-ACK、CSI部分1、およびCSI部分2は、統合マッピング規則を使用してPUSCHの中で送信またはピギーバックされるとき、異なるタイプのUCIと見なされる。
【００７５】
図7は、本開示のいくつかの態様による、PUSCH700上で異なるタイプのUCIを送信するための統合リソースマッピングを示す図である。このマッピングにより、異なるタイプのUCIがPUSCH上でピギーバックされることが可能になる。この例では、異なるUCIタイプが異なるOFDMシンボルにマッピングされ得ることを除いて、UCIタイプ(たとえば、HARQ-ACK、CSI部分1、およびCSI部分2)に関係なくUCIをPUSCHのいくつかのREにマッピングするために、統合UCI対REマッピング規則が適用される。図7は、スロットの中でいくつかの時間周波数リソース(たとえば、RB408)が割り当てられる例示的なPUSCH700を示す。垂直方向(図7における方向Y)は、周波数領域(たとえば、キャリアまたは帯域幅)を示し、水平方向(図7における方向X)は、時間領域(たとえば、OFDMシンボル)を示す。
【００７６】
PUSCH700の中では、フロントロードされたDMRSが、冒頭OFDMシンボル702(たとえば、OFDMシンボル0)にマッピングされる。統合マッピング規則は、時間領域においていくつかのシーケンスに従って、異なるUCIタイプをOFDMシンボルにマッピングする。たとえば、統合マッピング規則は、最初に、フロントロードされたDMRSの後のOFDMシンボル704にCSI部分1をマッピングし、(存在する場合)OFDMシンボル706にマッピングされたCSI部分2が後続し、次いで、OFDMシンボル708にマッピングされたHARQ-ACK(たとえば、ACKおよびNACK)が後続する。他のOFDMシンボル710は、PUSCHデータにマッピングされ得る。この例では、CSI部分1は、第2のOFDMシンボルにおけるすべてのRE、および第3のOFDMシンボルのいくつかのREにマッピングされる。次いで、CSI部分2は、第3のOFDMシンボルにおけるいくつかのRE、および第4のOFDMシンボルにおけるいくつかのREにマッピングされる。CSI部分1およびCSI部分2をマッピングした後、HARQ-ACKが、第4のOFDMシンボルにおけるいくつかのRE、および第5のOFDMシンボルにおけるいくつかのREにマッピングされる。この例では、スロットの中でHARQ-ACKの前に(時間領域においてより早く)CSIを配置することにより、基地局における早期CSI復号が可能になる。
【００７７】
統合マッピング規則はまた、周波数領域においていくつかの系列に従って、異なるUCIタイプの被変調UCIシンボルをOFDMシンボルにマッピングする。UCI情報は、OFDMシンボルにマッピングされ得るいくつかの被変調UCIシンボルを作成するように変調され得る。たとえば、UCI部分1、UCI部分2、およびHARQ-ACKをOFDMシンボルにマッピングするために、同じ統合マッピング規則が使用される。各OFDMシンボルiの中で、被変調UCIシンボル(たとえば、CSI部分1、CSI部分2、またはHARQ-ACK)は、所定のステップサイズによる分散方式で、PUSCHが割り当てられた帯域幅712にわたって一様に広がるREにマッピングされる。いくつかの例では、各被変調シンボルは、1つのREにマッピングされ得る。任意のOFDMシンボルiにおける分散されたREの間のステップサイズ(周波数領域における距離)は、次のように式1を使用して決定され得る。
【００７８】
【数１】
2021505011.tif 000003
【００７９】
ステップサイズとは、OFDMシンボルiの中のマッピングされたREの間のサブキャリア間隔を指す。1というステップサイズは、マッピングされたREが周波数領域において互いに隣接することを意味する。図示の例では、割り当てられた帯域幅712内の利用可能なREの個数は、OFDMシンボルの中で12個(すなわち、12本のサブキャリア)である。ceiling関数は、「OFDMシンボルの中の利用可能なREの個数」の「被変調シンボルの残りの個数」に対する比よりも大きい、次の整数値を選ぶ。被変調シンボルの残りの個数とは、マッピングされていない被変調UCIシンボル(たとえば、CSI部分1、CSI部分2、またはHARQ-ACK)を指す。
【００８０】
図7を参照すると、フロントロードされたDMRSの後、CSI部分1が、第2のOFDMシンボルにおいて開始して最初にマッピングされる。この例では、CSI部分1は、合計15個の被変調シンボルを有してよい。上記で説明したceiling式によれば、ステップサイズは、1(すなわち、ceiling(12/15))であるものと決定され得る。ステップサイズが1であるので、CSI部分1の12個の被変調シンボルが、第2のOFDMシンボルにおける12個のREにマッピングされる。
【００８１】
CSI部分1の3個(すなわち、15-12個)の残りの被変調シンボルが、ステップサイズを決定するための同じceiling式を使用して第3のOFDMシンボルにマッピングされ得る。この場合、ステップサイズは4個(すなわち、ceiling(12/3))である。したがって、CSI部分1の残りの3個の被変調シンボルが、第3のOFDMシンボルのREに一様にマッピングされ得る。この特定の事例では、第3のOFDMシンボルの4個のREごとに(すなわち、ステップサイズ4)、1つの被変調CSIシンボルがマッピングされる。すなわち、CSI部分1の残りの3個のシンボルが、第3のOFDMシンボルの12個のREの間で一様に分散される。
【００８２】
同様に、CSI部分2およびHARQ-ACKの被変調シンボルは、同じ統合マッピング規則を使用して、対応するOFDMシンボルにマッピングされ得る。たとえば、CSI部分2の9個の被変調シンボルが、第3のOFDMシンボルにマッピングされ、CSI部分2の4個の被変調シンボルが、第4のOFDMシンボルにマッピングされる。次いで、HARQ-ACKの8個の被変調シンボルが、第4のOFDMシンボルにマッピングされ、HARQ-ACKの6個の被変調シンボルが、第5のOFDMシンボルにマッピングされる。統合マッピング規則を使用すると、CSI部分1、CSI部分2、およびHARQ-ACKは、対応するシンボルの中で周波数領域において一様に分散される。その上、異なるタイプのUCIが、OFDMシンボルのREの間で周波数領域においてインターリーブされ得る。
【００８３】
図8は、本開示のいくつかの態様による、PUSCH800上で異なるタイプのUCIを送信するための別の統合リソースマッピングを示す図である。このマッピングは、図7に関して上記で説明した統合マッピング規則と類似の統合マッピング規則を使用して行われる。フロントロードされたDMRSは、冒頭PUSCHシンボル802にマッピングされる。図7および図8のマッピング規則の間の差異は、最初にHARQ-ACKがPUSCHシンボル804にマッピングされ、もっと後のOFDMシンボル806へのCSI部分1のマッピングが後続し、次いで、さらに後のOFDMシンボル808にマッピングされたCSI部分2が後続することである。
【００８４】
時間領域において、統合マッピング規則は、フロントロードされたDMRSの後の1つまたは複数のOFDMシンボル804にHARQ-ACKをマッピングし、CSI部分1が後続し、(存在する場合)CSI部分2が後続する。スロットの中でCSIの前に、したがって、時間においてよりDMRSの近くにHARQ-ACKを配置することは、HARQ-ACKに対してより良好なチャネル推定をもたらすことができる。周波数領域において、統合マッピング規則は、図7に関して上記で説明した同じプロシージャを使用して、HARQ-ACK、UCI部分1、およびUCI部分2をマッピングし得る。
【００８５】
本開示のいくつかの態様では、スケジューリングエンティティ(たとえば、基地局、eNB、またはgNB)は、RRCシグナリングまたは上位レイヤメッセージを使用して、UCI(たとえば、CSI部分1、部分2、およびHARQ-ACK)の統合マッピング規則を動的に変更してよい。たとえば、スケジューリングエンティティは、いくつかのスロットに対して、図7または図8に示すマッピング規則のうちの1つを選択してよく、UEに通知するために、対応するRRCメッセージを送信してよい。スケジューリングエンティティがより良好な保護をCSIにもたらすことを望む場合、スケジューリングエンティティは、CSI部分1をスロットの中でもっと前に配置するマッピング規則を選んでよい。スケジューリングエンティティがより良好な保護および/またはチャネル推定をHARQ-ACKにもたらすことを望む場合、スケジューリングエンティティは、HARQ-ACKをスロットの中でもっと前に配置するマッピング規則を選んでよい。
【００８６】
本開示のいくつかの態様では、PUSCH送信に対して周波数ホッピングが有効化されているのかそれとも無効化されているのかにかかわらず、PUSCH上にUCIをピギーバックするために同じ統合リソースマッピング規則が適用されてよい。周波数ホッピングが有効化されているとき、PUSCHは、異なる時間期間またはスロットの中で、異なる周波数帯域またはサブキャリアの中で送信され得る(たとえば、周波数ホッピング)。
【００８７】
図9は、本開示のいくつかの態様による、周波数ホッピングが有効化されたPUSCH上で異なるタイプのUCIを送信するための統合リソースマッピングを示す図である。この例では、PUSCHの第1の部分900は、第1の周波数帯域902の中で搬送され、PUSCHの第2の部分901は、第2の周波数帯域904の中で搬送される。DMRS、CSI部分1、CSI部分2、HARQ-ACK、およびPUSCHの被変調シンボルは、2つのPUSCH部分に一様に分割される。
【００８８】
たとえば、HARQ-ACKの被変調シンボルは、HARQ部分A906およびHARQ部分B908に分割される。HARQ部分Aは第1のホップにマッピングされ、HARQ部分Bは第2のホップにマッピングされる。各ホップにおけるHARQ-ACKマッピングは、周波数ホッピングを伴わない図8および図9において上記で説明したものと同じ、HARQ-ACKに対する統合マッピング規則に従ってよい。
【００８９】
同様に、CSI部分1の被変調シンボルは、CSI部分1A910およびCSI部分1B912に分割され得る。CSI部分2の被変調シンボルは、CSI部分2A914およびCSI部分2B916に分割され得る。この例では、CSI部分1AおよびCSI部分2Aは、第1のホップにマッピングされ、CSI部分1BおよびCSI部分2Bは、第2のホップにマッピングされる。各ホップにおけるCSIマッピングは、周波数ホッピングを伴わない図8および図9において上記で説明したものと同じ、CSIに対する統合マッピング規則に従ってよい。
【００９０】
図10は、本開示のいくつかの態様による、周波数ホッピングが有効化されたPUSCH上で異なるタイプのUCIを送信するための別の統合リソースマッピングを示す図である。この例では、PUSCHの第1の部分1000は、第1の周波数帯域1002の中で搬送され、PUSCHの第2の部分1001は、第2の周波数帯域1004の中で搬送される。DMRS、CSI部分1、CSI部分2、HARQ-ACK、およびPUSCHの被変調シンボルは、2つのPUSCH部分に一様に分割される。このマッピングは、CSI部分1、CSI部分2、およびHARQ-ACKをマッピングする順序が図9のマッピングとは異なる。この特定の例では、CSI部分1が最初にPUSCHにマッピングされ、CSI部分2が後続し、次いで、HARQ-ACKが後続する。周波数ホッピングを伴わない、上記で説明したマッピングと同様に、統合マッピング規則は、周波数ホッピングに関係なくCSIおよびHARQの被変調シンボルをPUSCHにマッピングするために使用される。
【００９１】
CSI部分1の被変調シンボルは、CSI部分1A1006およびCSI部分1B1008に分割され得る。CSI部分2の被変調シンボルは、CSI部分2A1010およびCSI部分2B1012に分割され得る。この例では、CSI部分1AおよびCSI部分2Aは、第1のホップ1002にマッピングされ、CSI部分1BおよびCSI部分2Bは、第2のホップ1004にマッピングされる。HARQ-ACKの被変調シンボルは、HARQ部分A1014およびHARQ部分B1016に分割される。HARQ部分Aは第1のホップにマッピングされ、HARQ部分Bは第2のホップにマッピングされる。
【００９２】
図11は、本開示のいくつかの態様による、余分なDMRSシンボルを有するPUSCH1100上で異なるタイプのUCIを送信するための統合リソースマッピングを示す図である。スケジューリングエンティティ(たとえば、基地局)は、2個以上のDMRSシンボルを有するようにPUSCH1100を構成することができる。この例では、フロントロードされたDMRS1102に加えて、PUSCH1100は追加のDMRS1104を有する。複数のDMRSが構成されても、基地局は、周波数ホッピングを有効化することを伴うかまたは伴わずに、UCIタイプ(たとえば、HARQ-ACK、CSIタイプ1、およびCSIタイプ2)に関係なくPUSCH1100上にUCIをピギーバックするために統合UCIマッピング規則を使用してよい。
【００９３】
図11を参照すると、一例では、CSI部分1が最初にマッピングされ、CSI部分2が後続し、HARQ-ACKが後続する。時間領域において、CSI部分1は、図7および図8に関して上記で説明したものと類似の統合マッピング規則を使用して、フロントロードされたDMRS1102の後かつ追加のDMRS1104の周辺の、1つまたは複数のOFDMシンボル1106にマッピングされる。この場合、CSI部分1の被変調シンボルは、3つのグループ(たとえば、各グループの中の3個の被変調シンボル)に一様に分割され得る。CSI部分1の被変調シンボルの第1のグループは、第2のOFDMシンボルのREにマッピングされる。CSI部分1の被変調シンボルの第2のグループは、追加のDMRS1104の前のOFDMシンボルのREにマッピングされる。CSI部分1の被変調シンボルの第3のグループは、追加のDMRS1104の後のOFDMシンボルのREにマッピングされる。
【００９４】
同じ統合マッピング規則が、(存在する場合)CSI部分2の被変調シンボルをPUSCH RE1108にマッピングしてよく、PUSCH RE1110へのHARQ-ACKの被変調シンボルのマッピングが後続してよい。この例では、スロットの中でHARQ-ACKの前方にCSIを配置することにより、基地局における早期CSI復号が可能になり、したがって、より良好な保護をCSIにもたらす。時間領域におけるマッピング方向は、DMRSとUCIシンボルをマッピングするための開始OFDMシンボルとの間の相対位置に依存する。開始位置が、対応するDMRSよりも後(すなわち、図11における右側)であるとき、マッピング方向は、時間領域においてもっと後のOFDMシンボルに進む。開始位置が、対応するDMRSよりも前(すなわち、図11における左側)であるとき、マッピング方向は、時間領域においてもっと前のOFDMシンボルに進む。
【００９５】
本開示のいくつかの態様では、上記で説明した統合UCI対PUSCHマッピングプロシージャは、スロットの中で任意のOFDMシンボルに配置され得る2つ以上のDMRSシンボルを有する他の例に拡張されてよい。
【００９６】
図12は、本開示のいくつかの態様による、余分なDMRSシンボルを有するPUSCH1200上で異なるタイプのUCIを送信するための別の統合リソースマッピングを示す図である。この例は、CSI部分1、CSI部分2、およびHARQ-ACKのマッピング順序の点で、図11のものとは異なる。この場合、HARQ-ACKが最初にOFDMシンボル1202にマッピングされ、OFDMシンボル1204へのCSI部分1のマッピング、次いで、OFDMシンボル1206へのCSI部分2のマッピングが後続する。HARQ-ACK、CSI部分1、およびCSI部分2の被変調シンボルを、異なるOFDMシンボルにマッピングするために、上記で説明したものと類似の統合マッピング規則が使用され得る。この例では、スロットの中のもっと前のOFDMシンボルにHARQ-ACKをマッピングすることは、HARQ-ACKに対してより良好なチャネル推定をもたらし得る。
【００９７】
最初にCSI部分1およびCSI部分2の前にHARQ-ACKをマッピングする上記の例では、ペイロードサイズに応じてHARQ-ACKマッピングを取り扱うために、異なるプロシージャが使用され得る。
【００９８】
図13は、本開示のいくつかの態様による、リソースマッピングプロシージャ1300を示すフローチャートである。以下で説明するように、図示した一部または全部の特徴は、本開示の範囲内の特定の実装形態において省略されてよく、図示した一部の特徴は、すべての実施形態の実装のために必要とされるとは限らないことがある。いくつかの例では、プロセス1300は、図5に示すスケジューリングエンティティ500または図6に示すスケジュールドエンティティ600によって実行され得る。いくつかの例では、プロセス1300は、以下で説明する機能またはアルゴリズムを実行するための任意の好適な装置または手段によって実行され得る。
【００９９】
決定ブロック1302において、プロセスは、HARQ-ACKが所定のビット数X(たとえば、2ビット)以下であるかどうかを決定する。HARQ-ACKのペイロードサイズが所定のビット数(たとえば、2ビット)以下であるとき、HARQ-ACKは、PUSCHをパンクチャし得る。この場合、ブロック1304において、マッピングプロシージャは、HARQ-ACKのペイロードサイズが所定のビット数(たとえば、2ビット)であることを想定して、HARQ-ACKのためにREのセットを確保する。確保されたREは、CSI部分1およびCSI部分2のマッピングにとって利用可能でないが、PUSCHデータにとって利用可能である。ブロック1306において、プロセスは、最初にCSI部分1、それに続くCSI部分2(確保されたREはCSI部分1および2にとって利用可能でない)、およびそれに続くPUSCHデータにREをマッピングする。確保されたREがPUSCHにとって利用可能であるので、PUSCHは、HARQ-ACKのために確保されないようにそれらのREにマッピングされ得る。ブロック1308において、最後のステップは、(0、1、または2ビットとしての実際のHARQ-ACKペイロードサイズに応じて)確保されたREのいずれの上にもHARQ-ACKをマッピングしないか、そうしたREの一部分または全部の上に(PUSCHをパンクチャして)HARQ-ACKをマッピングすることである。
【０１００】
ブロック1310において、HARQ-ACKのペイロードサイズが所定のビット数X(たとえば、2ビット)よりも大きいとき、マッピング規則は、PUSCHの周辺でHARQ-ACKをレートマッチングすることができる。したがって、HARQ-ACKのためにREを確保する必要がない。この場合、すべてのUCIタイプ(たとえば、HARQ-ACK、CSI部分1、CSI部分2)が、PUSCHをレートマッチングすることができる。たとえば、REマッピングの順序は、この順序では、最初にHARQ-ACK、それに続くCSI部分1およびCSI部分2、ならびにそれに続くPUSCHであってよい。
【０１０１】
図14は、本開示のいくつかの態様による、UCIタイプに関係なく統合マッピング規則を使用して、PUSCH上でピギーバックされたUCIを送信するための例示的なプロセス1400を示すフローチャートである。以下で説明するように、図示した一部または全部の特徴は、本開示の範囲内の特定の実装形態において省略されてよく、図示した一部の特徴は、すべての実施形態の実装のために必要とされるとは限らないことがある。いくつかの例では、プロセス1400は、図5に示すスケジューリングエンティティ500または図6に示すスケジュールドエンティティ600によって実行され得る。いくつかの例では、プロセス1400は、以下で説明する機能またはアルゴリズムを実行するための任意の好適な装置または手段によって実行され得る。
【０１０２】
ブロック1402において、ワイヤレスデバイスは、複数の被変調UCIシンボルを生成するために、複数の制御情報タイプを含むUCIを変調する。たとえば、UCIは、上記で説明したように、HARQ-ACK(たとえば、ACKおよびNACK)、CSI部分1、およびCSI部分2を含んでよい。ワイヤレスデバイスは、UCIを変調するために図6の通信回路644を利用し得る。
【０１０３】
ブロック1404において、ワイヤレスデバイスは、PUSCHの1つまたは複数の対応するOFDMシンボルのリソース要素(RE)の間で各制御情報タイプの被変調UCIシンボルを分散させる統合マッピング規則に従って、複数の被変調UCIシンボルをPUSCHの複数のREにマッピングする。各タイプの被変調UCIシンボルは、式1を使用して上記で説明したように決定され得る所定のステップサイズに従って、各OFDMシンボルのREの間で分散され得る。たとえば、ワイヤレスデバイスは、図7〜図13に関して上記で説明した統合マッピング規則のうちのいずれかを使用して被変調UCIシンボルをPUSCHにマッピングするために、図6のリソースマッピング回路642を利用し得る。
【０１０４】
ブロック1406において、ワイヤレスデバイスは、UCIを含むPUSCHの中でデータを送信し得る。たとえば、ワイヤレスデバイスは、ピギーバックされたUCIを有するPUSCHを送信するために通信回路644を利用し得る。いくつかの例では、周波数ホッピングが有効化されているとき、ワイヤレスデバイスは、HARQ-ACK、CSI部分1、およびCSI部分2を、時間領域において所定の順序でPUSCHのOFDMシンボルにマッピングする。OFDMシンボルごとに、ワイヤレスデバイスは、OFDMシンボルにマッピングされたHARQ-ACK、CSI部分1、およびCSI部分2のうちの1つまたは複数の被変調シンボルを周波数領域において一様に分散させる。
【０１０５】
図15は、本開示のいくつかの態様による、周波数ホッピングを使用して、PUSCH上でピギーバックされたUCIを送信するための例示的なプロセス1500を示すフローチャートである。以下で説明するように、図示した一部または全部の特徴は、本開示の範囲内の特定の実装形態において省略されてよく、図示した一部の特徴は、すべての実施形態の実装のために必要とされるとは限らないことがある。いくつかの例では、プロセス1500は、図5に示すスケジューリングエンティティ500または図6に示すスケジュールドエンティティ600によって実行され得る。いくつかの例では、プロセス1500は、以下で説明する機能またはアルゴリズムを実行するための任意の好適な装置または手段によって実行され得る。
【０１０６】
ブロック1502において、ワイヤレスデバイスは、被変調UCIシンボルを第1の区分および第2の区分に分割し得る。たとえば、第1の区分は、図9または図10に示すCSI部分1A、CSI部分2A、およびHARQ-ACK部分Aを含んでよい。第2の区分は、図9または図10に示すCSI部分1B、CSI部分2B、およびHARQ-ACK部分Bを含んでよい。ブロック1504において、ワイヤレスデバイスは、同じ統合マッピング規則を使用して、第1の区分を第1の周波数帯域のREに、第2の区分を第2の周波数帯域のREにマッピングし得る。たとえば、第1の周波数帯域および第2の周波数帯域は、図9または図10に示す帯域1および帯域2であってよい。ブロック1506において、ワイヤレスデバイスは、被変調UCIシンボルを含むデータを、第1の周波数帯域および第2の周波数帯域にわたる周波数ホッピングを使用してPUSCHの中で送信し得る。
【０１０７】
一構成では、ワイヤレス通信のための装置500および/または600は、本開示全体にわたって説明する機能およびプロシージャを実行するように構成された様々な手段を含む。
【０１０８】
当然、上記の例では、プロセッサ504または604の中に含まれる回路構成は一例として提供されるにすぎず、説明した機能を実行するための他の手段が、限定はしないが、コンピュータ可読記憶媒体506または604の中に記憶された命令、または図1および/もしくは図2のうちのいずれか1つで説明した任意の他の好適な装置もしくは手段、ならびに、たとえば、図7〜図15に関して本明細書で説明したプロセス、プロシージャおよび/またはアルゴリズムを利用することを含む、本開示の様々な態様内に含まれてよい。
【０１０９】
ワイヤレス通信ネットワークのいくつかの態様が、例示的な実装形態を参照しながら提示されている。当業者が容易に諒解するように、本開示全体にわたって説明した様々な態様は、他の電気通信システム、ネットワークアーキテクチャ、および通信規格に拡張され得る。
【０１１０】
例として、様々な態様は、ロングタームエボリューション(LTE)、発展型パケットシステム(EPS)、ユニバーサル移動体電気通信システム(UMTS)、および/またはモバイル用グローバルシステム(GSM(登録商標))などの、3GPPによって定義された他のシステム内で実施され得る。様々な態様はまた、CDMA2000および/またはエボリューションデータオプティマイズド(EV-DO)などの、第3世代パートナーシッププロジェクト2(3GPP2)によって定義されたシステムに拡張され得る。他の例は、IEEE802.11(Wi-Fi)、IEEE802.16(WiMAX)、IEEE802.20、ウルトラワイドバンド(UWB)、Bluetooth(登録商標)、および/または他の好適なシステムを採用するシステム内で実施され得る。採用される実際の電気通信規格、ネットワークアーキテクチャ、および/または通信規格は、特定の適用例およびシステムに課された全体的な設計制約に依存する。
【０１１１】
本開示内では、「例示的」という語は、「例、事例、または例示として働くこと」を意味するために使用される。「例示的」として本明細書で説明したいかなる実装形態または態様も、必ずしも本開示の他の態様よりも好ましいまたは有利であると解釈されるべきでない。同様に、「態様」という用語は、本開示のすべての態様が、説明した特徴、利点、または動作モードを含むことを必要とするとは限らない。「結合される」という用語は、2つの物体間の直接的または間接的な結合を指すために本明細書で使用される。たとえば、物体Aが物体Bに物理的に接触し、かつ物体Bが物体Cに接触する場合、物体Aおよび物体Cは、直接物理的に互いに接触しない場合であっても、やはり互いに結合されていると見なされてよい。たとえば、第1の物体が第2の物体に直接物理的にまったく接触していなくても、第1の物体は第2の物体に結合され得る。「回路(circuit)」および「回路構成(circuitry)」という用語は広く使用され、電子回路のタイプに関して限定はしないが、接続および構成されたとき、本開示で説明した機能の実行を可能にする電気デバイスのハードウェア実装と導体の両方、ならびにプロセッサによって実行されたとき、本開示で説明した機能の実行を可能にする情報および命令のソフトウェア実装を含むものとする。
【０１１２】
図1〜図15に示す構成要素、ステップ、特徴、および/または機能のうちの1つまたは複数は、並べ替えられてよく、かつ/または単一の構成要素、ステップ、特徴、もしくは機能に組み合わせられてよく、またはいくつかの構成要素、ステップ、もしくは機能において具現されてもよい。本明細書で開示する新規の特徴から逸脱することなく、追加の要素、構成要素、ステップ、および/または機能も追加されてよい。図1〜図15に示す装置、デバイス、および/または構成要素は、本明細書で説明した方法、特徴、またはステップのうちの1つまたは複数を実行するように構成され得る。本明細書で説明した新規のアルゴリズムはまた、ソフトウェアで効率的に実施されてよく、かつ/またはハードウェアに組み込まれてよい。
【０１１３】
開示する方法におけるステップの特定の順序または階層が、例示的なプロセスの例示であることを理解されたい。設計選好に基づいて、方法におけるステップの特定の順序または階層が並べ替えられてよいことを理解されたい。添付の方法クレームは、様々なステップの要素を例示的な順序で提示したものであり、それらの請求項に特に記載されていない限り、提示された特定の順序または階層に限定されるものではない。
【０１１４】
前の説明は、本明細書で説明した様々な態様を任意の当業者が実践することを可能にするために提供される。これらの態様の様々な修正は当業者には容易に明らかであり、本明細書で定義される一般原理は他の態様に適用され得る。したがって、特許請求の範囲は本明細書で示す態様に限定されるものではなく、特許請求の範囲の文言と一致する最大限の範囲を与えられるべきであり、単数形での要素の言及は、そのように明記されていない限り、「唯一無二の」ではなく、「1つまたは複数の」を意味するものとする。別段に明記されていない限り、「いくつかの」という用語は、1つまたは複数を指す。項目のリスト「のうちの少なくとも1つ」を指す句は、単一のメンバーを含むそれらの項目の任意の組合せを指す。一例として、「a、b、またはcのうちの少なくとも1つ」は、a、b、c、aおよびb、aおよびc、bおよびc、ならびにa、bおよびcをカバーするものとする。当業者に知られているかまたは後で知られることになる、本開示全体にわたって説明した様々な態様の要素に対するすべての構造的および機能的な均等物は、参照により本明細書に明確に組み込まれ、特許請求の範囲によって包含されるものとする。その上、本明細書で開示するものはいずれも、そのような開示が特許請求の範囲において明示的に記載されているかどうかにかかわらず、公に供されるものではない。
【符号の説明】
【０１１５】
100  ワイヤレス通信システム
102  コアネットワーク
104  無線アクセスネットワーク(RAN)
106  ユーザ機器(UE)、スケジュールドエンティティ
108  基地局、スケジューリングエンティティ
110  外部データネットワーク
112  ダウンリンクトラフィック
114  ダウンリンク制御情報
116  アップリンクトラフィック
118  アップリンク制御情報
120  バックホール
200  無線アクセスネットワーク(RAN)
202、204、206  マクロセル
208  スモールセル
210、212、214  基地局
216  リモートラジオヘッド(RRH)
218  基地局
220  クアッドコプター
220  モバイル基地局
222、224、226  ユーザ機器(UE)
227  ピアツーピア(P2P)信号またはサイドリンク信号
228、230、232、234、236、238、240、242  ユーザ機器(UE)
300  ワイヤレス通信システム
302  送信機
304  送信アンテナ
306  受信機
308  受信アンテナ
310  信号経路
402  ダウンリンク(DL)サブフレーム
404  OFDMリソースグリッド
406  リソース要素(RE)
408  リソースブロック(RB)
410  スロット
412  制御領域
414  データ領域
500  スケジューリングエンティティ
502  バス
504  プロセッサ
505  メモリ
506  コンピュータ可読媒体、コンピュータ可読記憶媒体
508  バスインターフェース
510  トランシーバ
512  ユーザインターフェース
514  処理システム
540  処理回路
542  通信回路
552  処理命令
554  通信命令
600  スケジュールドエンティティ
602  バス
604  プロセッサ
605  メモリ
606  コンピュータ可読媒体、コンピュータ可読記憶媒体
608  バスインターフェース
610  トランシーバ
612  ユーザインターフェース
614  処理システム
640  処理回路
642  リソースマッピング回路
644  通信回路
652  処理命令
654  リソースマッピング命令
656  通信命令
700  物理アップリンク共有チャネル(PUSCH)
702、704、706、708、710  OFDMシンボル
712  帯域幅
800  物理アップリンク共有チャネル(PUSCH)
802、804  PUSCHシンボル
804、806、808  OFDMシンボル
900  PUSCHの第1の部分
901  PUSCHの第2の部分
902  第1の周波数帯域
904  第2の周波数帯域
906  HARQ部分A
908  HARQ部分B
910  CSI部分1A
912  CSI部分1B
914  CSI部分2A
916  CSI部分2B
1000  PUSCHの第1の部分
1001  PUSCHの第2の部分
1002  第1の周波数帯域、第1のホップ
1004  第2の周波数帯域、第2のホップ
1006  CSI部分1A
1008  CSI部分1B
1010  CSI部分2A
1012  CSI部分2B
1014  HARQ部分A
1016  HARQ部分B
1100  物理アップリンク共有チャネル(PUSCH)
1102、1104  復調基準信号(DMRS)
1106  OFDMシンボル
1108、1110  PUSCH RE
1200  物理アップリンク共有チャネル(PUSCH)
1202、1204、1206  OFDMシンボル
【図１】
2021505011.tif 000004
【図２】
2021505011.tif 000005
【図３】
2021505011.tif 000006
【図４】
2021505011.tif 000007
【図５】
2021505011.tif 000008
【図６】
2021505011.tif 000009
【図７】
2021505011.tif 000010
【図８】
2021505011.tif 000011
【図９】
2021505011.tif 000012
【図１０】
2021505011.tif 000013
【図１１】
2021505011.tif 000014
【図１２】
2021505011.tif 000015
【図１３】
2021505011.tif 000016
【図１４】
2021505011.tif 000017
【図１５】
2021505011.tif 000018
【国際調査報告】
2021505011.tif 000019
2021505011.tif 000020